(57)【要約】【課題】臓器の表面を係合するために有用な手術器具を提供する。【解決手段】手術器具１０は、架台本体２２、接合部材３０、アーム１２、および作用末端１４を備える。この架台本体は、上部分、遠位端２４、近位端および底部分を有する。この接合部材は、架台本体の遠位端部分に枢動可能に取り付けられて、接合部材から遠位に伸びるアームの近位部分の位置決めを可能にする。接合部材はまた、平面に対するアームの近位部分の動きを少なくとも部分的に制約するように構成される。作用末端は、アームの遠位端部分に取り付けられる。この手術器具は、心臓スタビライザーまたは心臓ポジショナーとして構成されてもよい。接合部材はさらに、スロット付きボール、ディスク部材、またはそれらの組み合わせとして構成されてもよい。【選択図】図１
2020157042.tif 000002
【特許請求の範囲】
【請求項１】
手術器具であって、
上部分、遠位端、近位端および底部分を有する架台本体と、
接合部材であって、前記接合部材は、前記接合部材から遠位に伸びるアームの近位部分の位置決めを可能にするように、前記架台本体の遠位端部分に枢動可能に取り付けられ、前記接合部材は、ある平面に対する前記アームの近位部分の動きを少なくとも部分的に制約するように構成される、接合部材と、
前記アームの遠位端部分に取り付けられた作用末端であって、前記手術器具がスタビライザーであり、かつ、前記作用末端が一対の接触部材を備える、作用末端と、
を備える、器具。
【請求項２】
前記接合部材が、第一の接合部材および第二の接合部材を備え、前記第一の接合部材が、偏揺に対する前記アームの近位部分の動きを制限し、前記第二の接合部材が、縦揺れに対する前記アームの近位部分の動きを制限する、請求項１に記載の器具。
【請求項３】
前記架台本体の遠位端部分に枢動可能に取り付けられた接合部材がディスク部材である、請求項１に記載の器具。
【請求項４】
前記接合部材が、スロット付きボールをさらに備える、請求項１に記載の器具。
【請求項５】
前記接合部材がディスク部材であり、かつ、前記スロット付きボールが前記ディスク部材に接続される、請求項４に記載の器具。
【請求項６】
前記器具が、前記架台本体の近位端に向かって前記架台本体に対して回転自在に取り付けられたアクチュエータと、前記アクチュエータから前記架台本体、前記接合部材、前記スロット付きボールおよび前記アームを通じて伸びるケーブルとを備え、前記アクチュエータおよび前記ケーブルは、前記アクチュエータの第一の方向の動きによっては可塑性状態から硬質状態へ、前記アクチュエータの前記第一の方向とは反対である第二の方向の動きによっては硬質状態から可塑性状態へ、前記アームの状態を変化させるように構成される、請求項４に記載の器具。
【請求項７】
前記底部分が、固定物に対して前記器具を可逆的にクランプするように構成された取り付け機構を備える、請求項１に記載の器具。
【請求項８】
前記取り付け機構が、前記本体と一体的に形成される固定ジョーと、前記本体に可動式に係合される可動式ジョーとを備える、請求項７に記載の器具。
【請求項９】
前記取り付け機構が、取り付け機構アクチュエータを備え、前記器具が、前記可動式ジョーの底面の上でかつ前記取り付け機構アクチュエータの下に取り付けられたカムを備え、前記カムが、前記可動式ジョーをロックまたはアンロックするべく作動されるように前記取り付け機構アクチュエータに接続される、請求項７に記載の器具。
【請求項１０】
前記取り付け機構が、取り付け機構アクチュエータを備え、前記取り付け機構アクチュエータが、前記固定物に対してクランプするように構成されたカムを有するロッカースイッチを含む、請求項７に記載の器具。
【請求項１１】
前記作用末端が、前記接触部材のうちの少なくとも１つに組み込まれたブロワー／噴霧器デバイスをさらに備える、請求項１に記載の器具。
【請求項１２】
前記作用末端が、前記接触部材を前記アームに連結する支持体をさらに備え、前記支持体が、前記接触部材に枢動可能に連結される、請求項１に記載の器具。
【請求項１３】
前記接触部材が、その近位端部分でクリップをそれぞれ備え、前記クリップが、前記支持体とスナップフィットを形成するように構成される、請求項１２に記載の器具。
【請求項１４】
前記接触部材が、その外側端部で比較的厚い断面寸法を、およびその内側端部で比較的薄い断面寸法をそれぞれ有する、請求項１に記載の器具。
【請求項１５】
前記アームは、中間リンクの遠位にある前記アームの一部を調節するようにユーザーによって調節可能である中間リンクと、前記中間リンクの近位にある前記アームの一部が第一の構成および第二の構成の両方の間で可塑性のままであることを可能にしつつ、可塑性構成を前記第一の構成で呈し、かつ硬質構成を前記第二の構成で呈する作用部材とを備える、請求項１に記載の器具。
【請求項１６】
前記上部分が、平滑であり、かつ、その上に全く障害物を有しない平坦な部分を備え、前記上部分が、外科医の手を安定化することを補助するために用いることができる、前記外科医の手用の休憩台を提供する、請求項１に記載の器具。
【請求項１７】
前記ディスク部材の周囲の少なくとも一部の周りに設けられたリッジまたは歯をさらに備える、請求項３に記載の器具。
【請求項１８】
前記器具が、前記ディスク部材、前記アームの少なくとも一部、および前記架台本体の少なくとも一部を通じて伸びるケーブルを備え、前記ディスク部材が、その中に形成されるスロットを備え、前記スロットが、前記ディスク部材が枢動されたとき、それに対する前記ケーブルの屈曲および締め付けを容易にするために湾曲されており、それによって、前記架台本体に対して前記ディスク部材の異なる角度位置でケーブル長およびケーブル張力のうちの少なくとも１つにおける変動を排除または減少することを補助する、請求項３に記載の器具。
【発明の詳細な説明】
【技術分野】
【０００１】
関連出願に対する相互参照
本出願は、それらの内容が、その全体として参照によって本明細書に援用される、２０１０年６月１４日に出願された、「手術器具、システムおよび使用方法（Ｓｕｒｇｉｃａｌ  Ｉｎｓｔｒｕｍｅｎｔｓ，Ｓｙｓｔｅｍｓ  ａｎｄ  Ｍｅｔｈｏｄｓ  ｏｆ  Ｕｓｅ）」というタイトルの米国特許仮出願第６１／３５４，５１６号、および２０１１年６月１４日に出願された、「手術器具、システムおよび使用方法（Ｓｕｒｇｉｃａｌ  Ｉｎｓｔｒｕｍｅｎｔｓ，Ｓｙｓｔｅｍｓ  ａｎｄ  Ｍｅｔｈｏｄｓ  ｏｆ  Ｕｓｅ）」というタイトルの米国特許出願第１３／１６０，４４５号に対する優先権を主張する。
【０００２】
発明の分野
本発明は、概して手術器具に、さらに詳細には、臓器の表面を係合するために有用な手術器具、例としては、臓器スタビライザー器具および臓器ポジショナー器具ならびにそれらの関連の構成要素に関する。
【背景技術】
【０００３】
発明の背景
心血管系の疾患は、毎年数百万人に罹患し、世界中で主要な死亡原因となっている。このような疾患による社会的被害は、人命の損失数という点でも、従来の外科的技術による患者の治療費という点でも甚大である。特によく見られる循環系疾患の形態は、心臓に血液を供給する循環系の臨界点で血流が抑制される、アテローム性動脈硬化またはその他の状態によって引き起こされる心臓への供給血量の減少である。
【０００４】
心臓へ供給する血流のこのような遮断または抑制の処置のための１つの選択肢は、冠状動脈バイパス供給（ＣＡＢＧ）手術として公知であり、より一般的には「心臓バイパス」手術として公知の手順である。ＣＡＢＧの手順では、外科医は、利用可能な源血管を閉塞された標的冠状動脈に取り付けることによるか、または身体の別の部分から静脈または動脈の一部分を切り取って移植片として用い、この移植片を源血管と標的動脈との間の位置に挿入することにより、閉塞を「迂回」して心臓への適切な血流を回復させる。
【０００５】
心臓への血液の十分な供給を回復するために、ＣＡＢＧの手順は、液体接続が２つの血管の間で達成される必要がある。この手順は、「吻合」として公知である。一般に、血流障害のない源動脈などの源血管、すなわち、左内もしくは右内胸動脈（ＩＭＡ）または一端が大動脈などの障害のない血液源に縫合されるバイパス移植片は、心臓の筋肉に血流を供給する左前下行枝（ＬＡＤ）または他の血管のような標的閉塞冠状動脈に縫合される。
【０００６】
ＣＡＢＧの手順は、比較的一般的になってきたが、この処置そのものが冗長かつ外傷性であり、心臓、循環系、脳および血液細胞、ならびに能動的な血漿カスケード系を損ない得る。従来のＣＡＢＧの手順では、外科医は、胸部中央に長い切開部を作り、胸骨を全長にわたって切開して、患者に心肺バイパス装置を取り付けるのに必要な他のいくつかの手順を行ない、心臓への血流を遮断し、次に心臓を拍動停止させてバイパスを完遂する。最も冗長かつ外傷性の外科的手順は、ある部分では、患者に心肺バイパス（ＣＰＢ）装置を接続して、バイパスが完了するまで身体のその他の部分に酸素含有血を継続的に循環させるために必要とされる。
【０００７】
近年、心臓を拍動させたままでＣＡＢＧ法を行ない得るように特別に開発された外科的技術を用いて、ＣＡＢＧの手順を実施し始めた外科医が増えてきた。このような手順では、いかなる形態の心肺バイパスも必要とされず、心臓を停止させる必要もない。結果として、これらの心拍動下の心臓手術は、侵襲がはるかに軽度であり、術後の神経学的合併症の危険性も少ない。特定の状況では、全体的な心臓拍動下の心ＣＡＢＧ手順は、少数の、典型的には、胸部の１箇所または２箇所の比較的小さい胸部切開部を通じて遂行され得、術後の創傷合併症の危険性を減らす。
【０００８】
ＣＡＢＧの手順が、心拍動下で行われる場合、手術用のスタビライザー器具を通常は用いて、心組織を吻合の領域で安定化する。種々の手術用スタビライザー器具が現在利用可能である。通常は、手術用スタビライザー器具は、これを胸骨開創器に固定することを可能にして、その結果これが安定化されるべき組織に対して固定して保持される、いくつかの形態の装着機構を有する。現在利用可能なスタビライザー器具の欠点の１つは、それらの器具が、開口した胸腔を横切って遠くまで伸ばされる傾向にあり、ある状況では外科医の手の動きを妨げる場合があるということである。さらに、アームおよび装着機構はまた、この開創器の表面を超えて伸びて、また障害物を形成する場合もある。
【発明の概要】
【発明が解決しようとする課題】
【０００９】
低位の形状を有しており、術中の外科医の障害物を減らす構成で胸腔中に伸ばすことができる手術用スタビライザー器具が依然として必要である。
【００１０】
吻合が、外科医の容易に接近できない外科的標的領域で行われる場合（例えば、目的の１つ以上の動脈が、心臓の外側面または後面に置かれ、このような動脈に接近することが困難になる）、心臓は通常は、臓器ポジショナー器具を介して、配置位置で心臓を再位置決めおよび維持するために、手で、外科医もしくは外科医のアシスタントによって、またはさらに一般的には、心臓への臓器ポジショナー器具の装着によって、再位置決めされる。
【００１１】
種々の臓器ポジショナー器具が現在利用可能である。通常は、臓器ポジショナーは、いくつかの形態の装着機構を有し、これによって胸骨開創器への固定が可能になり、その結果、ポジショナーは、配置された位置でその臓器を維持しながら、胸骨開創器によって支持され得る。
【００１２】
現在利用可能な臓器ポジショナー器具の欠点の１つは、開口した胸腔を横切って遠くまで伸ばされる傾向にあり、ある状況では外科医の手の動きを妨げる場合があり、術野のいくつかの領域の視界を妨げる場合があるということである。
【００１３】
術中の外科医の障害物を減らす構成で胸腔中に伸ばすことができる、臓器ポジショナー器具が依然として必要である。
【００１４】
本発明は、これらの要件を満たし、以下の詳細な説明を読めば明らかになる、さらなる改善された特徴を提供する。
【課題を解決するための手段】
【００１５】
本発明の一例の実施形態による手術器具は以下を備える：上部分、遠位端、近位端および底部分を有する架台本体と；架台本体の遠位端部分に枢動可能に取り付けられて、接合部材から遠位に伸びるアームの近位部分の位置決めを可能にする接合部材であって、上記接合部材は、ある平面に対して上記アームの近位部分の動きを少なくとも部分的に制約するように構成された、接合部材と；上記アームの遠位端部分に取り付けられた作用末端と、である。
【００１６】
一例の実施形態によれば、上記接合部材は、第一の接合部材および第二の接合部材を備え、ここで上記第一の接合部材が、上記アームの近位部分の偏揺の動きを制限し、かつ上記第二の接合部材が、上記アームの近位部分の縦揺れの動きを制限する。
【００１７】
一例の実施形態によれば、上記架台本体の遠位端部分に枢動可能に取り付けられた上記接合部材はディスク部材である。
【００１８】
一例の実施形態によれば、上記接合部材はさらに、スロット付きボールを備える。
【００１９】
一例の実施形態によれば、上記接合部材はディスク部材であり、かつ上記スロット付きボールは、上記ディスク部材に連結される。
【００２０】
一例の実施形態によれば、上記架台本体の近位端に向かって上記架台本体に対して回転自在に取り付けられたアクチュエータと、上記アクチュエータから上記架台本体、接合部材、スロット付きボールおよびアームを通じて伸びるケーブルとを備え、上記アクチュエータおよびケーブルは、上記アームの状態を可塑性状態から硬質状態へ、上記アクチュエータの第一の方向の動きによって変化するように構成されており、上記アクチュエータの動きによる硬質状態から可塑性状態へは、上記第一の方向と反対の第二の方向である。
【００２１】
一例の実施形態によれば、上記アクチュエータの動きは、回転を含み、上記第一の方向は、第一の回転方向であり、かつ上記第二の方向は、反対回転方向である。
【００２２】
一例の実施形態によれば、上記スロット付きボール部材は、上記アームの近位端で接合部を形成する。
【００２３】
一例の実施形態によれば、上記ディスク部材の上面および下面は、上記架台本体の上部分と実質的に平行に伸び、かつ上記スロット付きボールは、上記ディスク部材の上面および下面に対して平行な面から角度的に下向きの位置へ旋回できる。
【００２４】
一例の実施形態によれば、上記器具は、上記作用末端と液体連絡されている真空チューブを備え、上記作用末端は、ヒトの心臓の外面に対して可逆的に結合されるように構成される。
【００２５】
一例の実施形態によれば、上記器具は、上記架台本体の上記近位端で上記架台本体に対して回転自在に取り付けられたアクチュエータを備え、上記アクチュエータは、上記アームの状態を可塑性状態から硬質状態へアクチュエータの第一の回転方向での回転によって、および硬質状態から可塑性状態へアクチュエータの反対回転方向での回転によって変化するように構成されている。
【００２６】
一例の実施形態によれば、上記器具は、上記作用末端と液体連絡された吸引チューブと、上記吸引チューブを上記器具と低位の形状で維持するために上記吸引チューブを受容しかつ一時的に保持するように構成されたクリップとを備え、ここで上記クリップは、上記架台本体、上記アクチュエータ、または上記架台本体およびアクチュエータの両方と形成されるか、または接続される。
【００２７】
一例の実施形態によれば、上記アクチュエータは、１つ以上のフィン中に形成された１つのクリップを有する複数のフィンを備える。
【００２８】
一例の実施形態によれば、上記器具は、臓器スタビライザーであり、かつ上記作用末端は、組織表面を安定化するために組織表面に対して影響を与えるように構成された少なくとも１つの接触部材を備える。
【００２９】
一例の実施形態によれば、上記器具は、臓器ポジショナーであり、上記作用末端は、その中に真空空間を規定する吸引部材を備え、ここでこの吸引部材は、ヒト心臓の心尖を受容するように構成されている。
【００３０】
一例の実施形態によれば、上記器具は、上記吸引部材が、心臓に対して配置される場合、心臓上に十分な吸引力を発揮して心臓を動かすようにさらに構成され、２５０ミリメートルマーキュリーの陰圧が、上記吸引部材と心臓とを係合するように真空空間内に与えられ、上記吸引部材が動かされる。
【００３１】
一例の実施形態によれば、上記底部分は、固定物に対して上記器具を可逆的にクランプするように構成された取り付け機構を備える。
【００３２】
一例の実施形態によれば、上記取り付け機構は、胸骨開創器の表面に固定され、上記胸骨開創器は、胸骨開創器に取り付けられるかまたは胸骨開創器と一体化された胸骨開創器ブレードを備え、ここで上記アームは、架台本体に対するアクチュエータの動きを必要とすることなく胸骨開創器ブレードの内面と接触させられるように下向きに配向され得る。
【００３３】
一例の実施形態によれば、上記取り付け機構は、固定ジョーおよび可動式ジョーを備え；ここで取り付け機構アクチュエータが、底部分内でかつ少なくとも部分的に可動式ジョーの上で枢動可能に取り付けられ、上記取り付け機構アクチュエータが、ロックされていない位置からロックされた位置へ、そして逆の場合も同じであるが、可動式ジョーを移動するように構成されている
【００３４】
一例の実施形態によれば、上記取り付け機構アクチュエータは、この取り付け機構アクチュエータが近位方向に引っ張られるとき、上記ロックされた位置に向けて上記可動式ジョーが移動するように構成されている。
【００３５】
一例の実施形態によれば、上記取り付け機構は、本体と一体的に形成される固定ジョーと、本体に対して可動式に係合される可動式ジョーとを備える。
【００３６】
一例の実施形態によれば、上記器具は、上記可動式ジョーの底面の上でかつ上記取り付け機構アクチュエータの下に取り付けられたカムを備え、上記カムが、取り付け機構アクチュエータに連結され、上記可動式ジョーをロックするかまたはロックしないように作動するようされている。
【００３７】
一例の実施形態によれば、上記取り付け機構は、取り付け機構アクチュエータを備え、上記取り付け機構アクチュエータは、固定物に対してクランプするように構成されたカムを有するロッカースイッチを備える。
【００３８】
一例の実施形態によれば、上記器具は、スタビライザーであり、かつ上記作用末端は、一対の接触部材および上記接触部材の少なくとも１つに組み込まれたブロワー／噴霧器デバイスを備える。
【００３９】
一例の実施形態によれば、上記器具は、そこに連結されるようなブロワー／噴霧器デバイス用に構成されたスタビライザーである。
【００４０】
一例の実施形態によれば、上記器具はスタビライザーであり、かつ上記作用末端は、一対の接触部材、および上記アームに対して上記接触部材をリンクするための支持体を備え、ここで上記支持体が、上記接触部材に対して枢動可能に連結される。
【００４１】
一例の実施形態によれば、上記接触部材は各々、その近位端部分でクリップを備え、このクリップは、上記支持体部材とスナップフィットを形成するように構成されている。
【００４２】
一例の実施形態によれば、上記器具はスタビライザーであり、かつ上記作用末端は、一対の接触部材を備え、上記接触部材は各々が、その外側端部で比較的厚い断面寸法、およびその内側端部で比較的薄い断面寸法を有している。
【００４３】
一例の実施形態によれば、上記アームは、中間リンクのアーム遠位の一部を調節するようにユーザーによって調節可能な中間リンク、および可塑性構成を第一の構成で想定し、硬質構成を第二の構成で想定する作用部材を備え、一方で中間リンクのアーム近位の一部が、第一構成および第二の構成の両方の間に可塑性のままであることを可能にする。
【００４４】
一例の実施形態によれば、上記アームは、可塑性構成を第一の構成で想定し、かつ硬質構成を第二の構成で想定する、中間リンクのアーム近位の一部を調節するようにユーザーによって調節可能な中間リンクであって、一方で中間リンクのアーム遠位の位置および作用末端が、第一構成および第二の構成の両方の間に可塑性のままであることを可能にする中間リンクを備える。
【００４５】
一例の実施形態によれば、上記器具は、上記アクチュエータを作動するように構成されたモーター、ならびにこのモーターに電気的に接続され、このモーターを作動してこのアクチュエータを駆動し、このアームおよびこのアームと作用末端との間の接続の剛性を増大または減少するように構成された、このアクチュエータおよびモーターの遠位に配置された第二のアクチュエータ、を備える。
【００４６】
一例の実施形態によれば、上記上部分は、平滑であり、かつその上に障害のない平坦部分を備え、ここでこの上面は、外科医の手を安定化することを補助するために用いられ得る、外科医の手の休憩台となる。
【００４７】
一例の実施形態によれば、リッジまたは歯が、ディスク部材の周囲の少なくとも一部の周囲に設けられる。
【００４８】
一例の実施形態によれば、上記器具は、上記ディスク部材、上記アームの少なくとも一部、および上記架台本体の少なくとも一部を通じて伸びるケーブルを備え、ここで、このディスク部材は、その中に形成されるスロットを備え、このスロットは、このディスク部材が旋回されたとき、それに対するケーブルの屈曲および締め付けを容易にするために湾曲されており、それによって、上記架台本体に対してこのディスク部材の異なる角度位置でケーブル長およびケーブル張力のうちの少なくとも１つの変動を排除または減少することを補助する。
【００４９】
一例の実施形態によれば、上記ディスク部材は、その中に形成されたスロットを備え、このスロットは、このディスク部材が旋回されたとき、そのスロットに対するケーブルの屈曲および締め付けを容易にするために湾曲され、それによって、上記架台本体に対してこのディスク部材の異なる角度位置でケーブル長およびケーブル張力のうちの少なくとも１つの変動を排除または減少することを補助する。
【００５０】
一例の実施形態によれば、上記器具は、上記架台本体の近位端でこの架台本体に対して回転自在に取り付けられたアクチュエータ、ならびにこの架台本体、ディスク部材、スロット付きボールおよびアームを通じてアクチュエータから伸びるケーブルをさらに備え、このアクチュエータおよびケーブルが、このアームの状態を可塑性状態から硬質状態へ、アクチュエータの第一の回転方向での回転によって、および硬質状態から可塑性状態へ、アクチュエータの反対回転方向での回転によって変化させるように構成されている。
【００５１】
一例の実施形態によれば、上記器具は、上記真空チューブと液体連絡されたキャニスターを備え、このキャニスターは、真空源と液体連絡してキャニスターを接続するための開口部を有し、このキャニスターは、その中に液体を捕捉するように構成されている。
【００５２】
一例の実施形態によれば、上記器具は、上記キャニスターの開口部と液体連絡したフィルターを備え、このフィルターは、上記真空源に連結され、このキャニスター由来の流出液から粒子を濾過するように構成されている。
【００５３】
一例の実施形態によれば、上記キャニスターは、少なくとも１つの実質的に平坦な側面を有する。
【００５４】
一例の実施形態によれば、上記器具は、上記キャニスターに接続され、このキャニスターを直立方向に吊るすように適合されたストラップを備え、ここで真空源とのこのキャニスターを接続するための上記開口部は、上記真空チューブとこのキャニスターの液体連絡を形成する接続よりも高い。
【００５５】
一例の実施形態によれば、上記キャニスターの表面は、それからのグレア反射を阻害するように艶消し処理されている。
【００５６】
本発明の一例の実施形態による手術器具は：架台本体、アーム、およびツールを備え；この架台本体は、開創器と用いるように構成され、上記架台本体の底面は、取り付けられた場合、上記開創器と面し、上記架台本体の前方端部は、上記底面に対してある角度で移動し；このアームは、架台本体の前方端部に対して末端接合部を介してその近位端に枢動可能に連結され；このツールは、アームの遠位端に連結され；このアームは、上記架台本体に対して複数の位置の間で可動式であるように、かつこれらの位置で一時的にロック可能であるように構成されている。
【００５７】
一例の実施形態によれば、上記接合部は、上記架台本体から伸びるかまたはそれに隣接するアームの近位部分が上記架台本体に対して旋回可能であり、かつこの架台本体に対して実質的に垂直な位置で一時的にロック可能であるように構成されている。
【００５８】
一例の実施形態によれば、上記接合部は、上記架台本体から伸びてそれに隣接するアームの近位部分がこの架台本体の左の遠位領域から、架台本体の右の遠位領域へ可動式であり、そして逆の場合も同じく可動式であるように構成されている。
【００５９】
本発明の一例の実施形態による手術器具は以下：架台本体、アーム、ツールおよびチューブを備え；この架台本体は、開創器または手術台に対して取り付けられるように構成され；このアームは、上記架台本体に対して近位端で枢動可能に連結され；このツールは、アームの遠位端に連結され；このアームは、架台本体に対して複数の位置の間で可動式であるように、かつこれらの位置で一時的にロック可能であるように構成されており；このチューブの遠位端は、アームの遠位端に連結されるか、またはそれに隣接しており；かつ
この架台本体は、チューブを取り外し可能に保持するように構成されている。
【００６０】
一例の実施形態によれば、上記架台本体は、上記チューブを受容しかつ取り外し可能に保持するようにサイズ決めされた凹部分を備える。
【００６１】
一例の実施形態によれば、上記架台本体は、上記チューブを受容しかつ取り外し可能に保持するようにサイズ決めされたクリップを備える。
【００６２】
一例の実施形態によれば、上記架台本体はさらに、上記手術器具に対して回転自在に取り付けられたアクチュエータを備え、このアクチュエータは、アームの状態を可塑性状態から硬質状態へアクチュエータの第一の回転方向での回転によって、および硬質状態から可塑性状態へアクチュエータの反対回転方向での回転によって変化するように構成され；かつこのアクチュエータは、上記チューブを取り外し可能に保持するように構成されている。
【００６３】
本発明による手術器具を操作する一例の方法は、この器具の架台本体を固定物に対して装着する工程であって、この架台本体がこの固定物に対して動けないようにすることと；この架台本体の遠位端から伸びるアームの方向を調節することと；この架台本体の近位端に対して回転自在に取り付けられたアクチュエータを回転させ、それによって、上記アームの方向を架台本体に対して硬質な構成で固定することと；を包含する。
【００６４】
一例の実施形態によれば、張力ケーブルは、アームの近位半分の少なくとも一部および上記架台本体を通じて伸び、かつ上記アクチュエータと接続し、このアクチュエータの回転が上記ケーブルにおける張力を増大する。
【００６５】
一例の実施形態によれば、上記固定物は胸骨開創器であり、上記アームは硬質な構成の胸骨開創器の内面と接触する。
【００６６】
一例の実施形態によれば、上記器具は、外科用スタビライザーである。
【００６７】
一例の実施形態によれば、上記器具は、心拍動下心臓手術のための外科用スタビライザー、または心拍動下心臓手術のための臓器ポジショナーである。
【００６８】
本発明の一例の実施形態による手術器具は以下：架台本体、アーム、接合部およびツールを備え；この架台本体は、開創器に対して取り付けられるように構成され；この架台本体の底面は、取り付けられた場合、開創器と面し、この架台本体の前方端部は、この底面に対してある角度で移動し；このアームは、この架台本体の前方端部に対して接合部を介してまたはその前方端部に沿って上記アームの近位端に枢動可能に連結され；このツールは、アームの遠位端に連結され；このアームは、上記架台本体に対して複数の位置の間で可動式であるように、かつこれらの位置で一時的にロック可能であるように構成されており；この接合部は、上記架台本体から伸びてそれに隣接するアームの近位部分が前方端部の一部に沿って上記架台本体に対して実質的に垂直である位置で旋回可能であり、かつ一時的にロック可能であるように構成されている。
【００６９】
一例の実施形態によれば、上記手術器具はさらに、異なる大きさの複数の開創器のいずれか１つに対して上記架台本体を接続するように構成された自在コネクタを備える。
【００７０】
一例の実施形態によれば、上記接合部はディスク部材を備える。
【００７１】
一例の実施形態によれば、上記接合部はスロット付きボールを備える。
【００７２】
本発明の一例の実施形態による手術器具は以下：上記架台本体の近位端で上記架台本体に対して回転自在に取り付けられたアクチュエータと、架台本体、ディスク部材、スロット付きボールおよびアームを通じてこのアクチュエータから伸びるケーブルとを備え、このアクチュエータおよびケーブルは、アームの状態を可塑性状態から硬質状態へ、アクチュエータの第一の回転方向での回転によって、ならびに硬質状態から可塑性状態へ、アクチュエータの反対回転方向での回転によって変化するように構成されている。
【００７３】
一例の実施形態によれば、チューブが、上記ツールと液体連絡して設けられる。
【００７４】
一例の実施形態によれば、チューブが、上記ツールと液体連絡して設けられ、上記アクチュエータは、上記チューブを上記器具と低位の形状の配置で維持するためにこのチューブを受容しかつ一時的に保持するように構成されたクリップを備える。
【００７５】
一例の実施形態によれば、上記架台本体は、上記チューブを受容し、かつ取り外し可能に保持するようにサイズ決めされた凹部分を備える。
【００７６】
一例の実施形態によれば、上記器具はスタビライザーであり、かつ上記ツールは、組織表面を安定化するためにこの組織表面に対して影響するように構成された少なくとも１つの接触部材を備える。
【００７７】
一例の実施形態によれば、上記器具は、ポジショナーであり、かつ上記ツールは、その中に真空空間を規定する吸引部材を備え、ここでこの吸引部材は、臓器に十分な吸引力を発揮して、この吸引部材がこの臓器に対して配置され、陰圧が真空空間内に与えられて、この吸引部材とこの臓器とを係合し、この吸引部材が動かされるとき、この臓器を動かすように構成されている。
【００７８】
一例の実施形態によれば、上記器具は、上記ディスク部材、上記アームの少なくとも一部、および上記架台本体の少なくとも一部を通じて伸びるケーブルを備え、ここでこのディスク部材は、その中に形成されたスロットを備え、このスロットは、このディスク部材が旋回されたとき、それに対するケーブルの屈曲および締め付けを容易にするように湾曲されており、それによって、架台本体に対するディスク部材の種々の角度位置で、ケーブル長およびケーブル張力のうちの少なくとも１つの変動を排除または減少するように補助する。
【００７９】
一例の実施形態によれば、アクチュエータが、上記架台本体の近位端でこの架台本体に対して回転自在に取り付けられ、ケーブルが、この架台本体、ディスク部材、スロット付きボールおよびアームを通ってこのアクチュエータから伸びる。
【００８０】
一例の実施形態によれば、上記アクチュエータおよび上記ケーブルは、上記アームの状態を、可塑性状態から硬質状態へ、アクチュエータの第一の回転方向での回転によって、および硬質状態から可塑性状態へ、アクチュエータの反対回転方向での回転によって変化するように構成される。
【００８１】
一例の実施形態によれば、キャニスターが、上記チューブと液体連絡して設けられ、このキャニスターは、真空源と液体連絡してこのキャニスターを連結するための開口部を有し、このキャニスターは、その中に液体を捕捉するように構成されている。
【００８２】
一例の実施形態によれば、フィルターが、上記キャニスターの開口部と液体連絡されており、このフィルターは、上記真空源に連結され、このキャニスター由来の流出液から粒子を濾過するように構成されている。
【００８３】
一例の実施形態によれば、ストラップが、上記キャニスターに接続され、このキャニスターを直立方向に吊るすように適合されており、ここで真空源とこのキャニスターを接続するための上記開口部は、上記真空チューブとのキャニスターの液体連絡を形成する接続よりも高い。
【００８４】
一例の実施形態によれば、手術器具であって、架台本体、アーム、ツール、およびチューブを備え；この架台本体は、開創器または手術台に対して取り付けるように構成され；このアームは、この架台本体の近位端に枢動可能に連結され；このツールは、このアームの遠位端に連結され；このアームは、この架台本体に対して複数の位置の間で可動式であるように、かつこれらの位置で一時的にロック可能であるように構成されており；このチューブの遠位端は、このアームの遠位端に接続されるか、またはそれと隣接しており；この架台本体は、このチューブを取り外し可能に保持するように構成されている、手術器具が提供される。
【００８５】
本発明の一例の実施形態による手術器具は以下：上部分、遠位端、近位端および底部分を有する架台本体と；この底部分によって形成されるか、またはそれに連結される複数の架台本体ジョーと；アームに係合された接合部材であって、このアームが、上記接合部材から遠位に伸びて、アームの遠位端部分に取り付けられた作用末端で終わり、この接合部材は、この架台本体の遠位端部分に枢動可能に取り付けられている接合部材と；を備え、ここで上記アームは、接合部材の位置決めを通じて、上記架台本体ジョーの上でかつ架台本体の上部分に対してすぐ背側に位置する空間を邪魔することなく架台本体の左または右の遠位領域に向かって、位置決めされ得る。
【００８６】
一例の実施形態によれば、上記接合部材は、上記架台本体の上部分に対して水平方向に配置された平面に対してこの接合部材の少なくとも一部の制約された動きで位置決めされ得る。
【００８７】
一例の実施形態によれば、上記作用末端は、心臓の表面に対する装着のために構成され、この作用末端はさらに、冠状動脈の片側もしくは両側を係合するためのスタビライザー部材、または心臓の心尖を受容できるポジショナー部材を備える。
【００８８】
本発明の一例の実施形態による手術器具は以下を備える：可塑性のアームであって、遠位端、近位端、およびそれらの間に位置する複数の接合部材を備え、それによって隣接する接合部材の少なくとも一部が、関節接合性の接合部を形成し得る、可塑性のアームと；
ヒトの心臓の表面を係合するように構成された作用末端であって、この作用末端は、上記可塑性のアームの遠位端に連結されている、作用末端と；上記可塑性のアームの近位端と、架台本体との間で架台本体角度を形成する架台本体接合部であって、最小の架台本体角度は、多くても１２０度超であり、ここで参照角は、任意の２つのストレスを加えられていない関節接合性の接合部材の間の１８０度として規定される、架台本体接合部。
【００８９】
一例の実施形態によれば、最小の架台本体角度は、１０５度より大きい。
【００９０】
一例の実施形態によれば、上記架台本体接合部は、水平の接合部および垂直の接合部から構成され、ここでこの水平の接合部は、実質的に水平な第一の平面に沿って制御された平坦な移動または旋回運動のために構成され、かつ上記垂直の接合部は、第一の平面に対して実質的に垂直な第二の平面に沿って概して平坦な移動または旋回運動のために構成されている。
【００９１】
本発明の一例の実施形態による、手術器具は以下：可塑性のアームであって、遠位端、近位端、およびそれらの間に位置する複数の接合部材を備え、それによって隣接する接合部材の少なくとも一部が、関節接合性の接合部を形成し得、この間接接合性の接合部が、各々が達成可能な最小の角度値を有する複数のアーム接合部角度を達成可能であり、この角度が、任意の２つのストレスを加えられていない関節接合性の接合部の間の１８０度として規定される、可塑性のアームと；ヒトの心臓の表面を係合するように構成された作用末端であって、ここでこの作用末端は、上記可塑性のアームの遠位端に連結されている、作用末端と；上記可塑性のアームの近位端と、架台本体との間で架台本体角度を形成する架台本体接合部であって、最小の架台本体角度は、最小の達成可能な角度値よりも実質的に小さい角度である、架台本体接合部と、を備える。
【００９２】
本発明の一例の実施形態による手術器具は以下：上部分、遠位端、近位端および底部分を有しており、かつ接合部材に連結される架台本体と；底部分によって形成されるか、またはそこに連結される架台本体ジョーと；この接合部材から遠位に伸び、かつ作用末端で終わる、アームの近位部分に係合された接合部材であって、この接合部材は、上記架台本体の遠位端部分で枢動可能に取り付けられている接合部材と；を備え、ここでこの接合部材は、上記アームの近位部分が、上記架台本体の上部分の上に伸びることを妨げる。
【００９３】
本発明の一例の実施形態による手術器具は以下：上面、遠位端、近位端および底部分を有する架台本体と；この架台本体の遠位端部分で枢動可能に取り付けられたディスク部材を備える接合部材と；このディスク部材から遠位に伸びるアームと；このアームの遠位端部分に装着された作用末端とを備える。
【００９４】
一例の実施形態によれば、上記接合部材は、上記アームの近位端との接合部を形成する。
【００９５】
一例の実施形態によれば、上記接合部材は、スロット付きボールを備える。
【００９６】
一例の実施形態によれば、上記スロット付きボールは、上記ディスク部材に固定される。
【００９７】
一例の実施形態によれば、上記器具は、上記架台本体の近位端でこの架台本体に対して回転自在に取り付けられたアクチュエータ、ならびにこの架台本体、ディスク部材、スロット付きボールおよびアームを通じてこのアクチュエータから伸びるケーブルを備え、このアクチュエータおよびケーブルは、アームの状態を可塑性状態から硬質状態へ、アクチュエータの第一の回転方向での回転によって、および硬質状態から可塑性状態へ、アクチュエータの反対回転方向での回転によって変化するように構成される。
【００９８】
一例の実施形態によれば、上記スロット付きボールは、上記アームの近位端と接合部を形成する。
【００９９】
一例の実施形態によれば、上記ディスク部材の上面および下面は、上記架台本体の上面と実質的に平行に伸びて、上記ボールは、その上面および下面に対して平行な平面から角度的に下向きに伸びる。
【０１００】
一例の実施形態によれば、真空チューブが、上記作用末端と液体連絡して設けられる。
【０１０１】
一例の実施形態によれば、アクチュエータが、上記架台本体の近位端で架台本体に回転自在に取り付けられる。このアクチュエータは、アームの状態を、可塑性状態から硬質状態へ、アクチュエータの第一の回転方向での回転によって、および硬質状態から可塑性状態へ、アクチュエータの反対回転方向での回転によって変化させるように構成される。
【０１０２】
一例の実施形態によれば、吸引チューブが、上記作用末端と液体連絡して設けられ、上記アクチュエータは、上記器具と低位の形状で吸引チューブを維持するように、この吸引チューブを受容しかつ一時的に保持するように構成されたクリップを備える。
【０１０３】
一例の実施形態によれば、上記アクチュエータは、各々のフィン中に形成される１つのクリップを有する複数のフィンを備える。
【０１０４】
一例の実施形態によれば、上記器具は、スタビライザーであり、かつ作用末端は、組織表面を安定化するようにこの組織表面に対して力を発揮するように構成された少なくとも１つの接触部材を備える。
【０１０５】
一例の実施形態によれば、上記器具は、ポジショナーであり、かつ上記作用末端は、その中に真空空間を規定する吸引部材を備え、ここでこの吸引部材は、臓器に十分な吸引力を発揮して、この吸引部材がこの臓器に対して配置され、陰圧が真空空間内に与えられて、この吸引部材とこの臓器とを係合し、この吸引部材が動かされるとき、この臓器を動かすように構成されている。
【０１０６】
一例の実施形態によれば、底部分は、固定物に対して上記器具をクランプするように構成された取り付け機構を備える。
【０１０７】
一例の実施形態によれば、取り付け機構は、胸骨開創器のブレードに固定され、上記アームは、下向きに、かつ胸骨開創器ブレードの内面と接触して配向される。  
【０１０８】
一例の実施形態によれば、上記取り付け機構は、固定ジョーおよび可動式ジョーを備え；そして取り付け機構アクチュエータが、可動式ジョーの上で底部分内に枢動可能に取り付けられる。この取り付け機構アクチュエータは、可動式ジョーをロックされてない位置からロックされた位置へ、そして逆の場合も同じであるが、移動するように構成される。
【０１０９】
一例の実施形態によれば、取り付け機構アクチュエータは、この取り付け機構アクチュエータが近位方向に引っ張られるとき、ロックされた位置に向けて可動式ジョーを移動するように構成される。
【０１１０】
一例の実施形態によれば、カムが、上記可動式ジョーの底面の上で、かつ上記取り付け機構アクチュエータの下に取り付けられる。このカムは、可動式ジョーをロックするかまたはロックしないように作動するようされている取り付け機構アクチュエータに対して接続される。
【０１１１】
一例の実施形態によれば、取り付け機構は、取り付け機構アクチュエータを備え、この取り付け機構アクチュエータは、固定物の反対側でこの固定物に対してクランプするように構成されたカムを有するロッカースイッチを備える。
【０１１２】
一例の実施形態によれば、上記器具は、スタビライザーであり、上記作用末端は、一対の接触部材およびこの接触部材の少なくとも１つ中に組み込まれたおよびブロワー／噴霧器デバイスを備える。
【０１１３】
一例の実施形態によれば、上記器具はスタビライザーであり、上記作用末端は、一対の接触部材を含み、このスタビライザーは、そこにブロワー／噴霧器デバイスを装着するように構成される。
【０１１４】
一例の実施形態によれば、上記器具はスタビライザーであり、上記作用末端は、一対の接触部材およびアームに対してこの接触部材をリンクする支持体を備え、ここでこの支持体は、接触部材に対して枢動可能にリンクされる。
【０１１５】
一例の実施形態によれば、この接触部材は各々が、その近位端部分でクリップを備え、このクリップは、上記支持体部材とスナップフィットを形成するように構成される。
【０１１６】
一例の実施形態によれば、上記器具はスタビライザーである、かつ上記作用末端は、一対の接触部材を備える。この接触部材は各々が、その外側端部で比較的厚い断面寸法を、およびその内側端部で比較的薄い断面寸法を有する。
【０１１７】
一例の実施形態によれば、上記アームは、中間リンクのアーム遠位の一部を調節するようにユーザーによって調節可能な中間リンク、および可塑性構成を第一の構成で想定し、硬質構成を第二の構成で想定する作用部材を備え、一方では、中間リンクのアーム近位の一部が、第一構成および第二の構成の両方の間に可塑性のままであることを可能にする。
【０１１８】
一例の実施形態によれば、上記アームは、可塑性構成を第一の構成で想定し、かつ硬質構成を第二の構成で想定する、中間リンクのアーム近位の一部を調節するようにユーザーによって調節可能な中間リンクを備え、一方では、この中間リンクのアーム遠位の位置および作用末端が、第一構成および第二の構成の両方の間に可塑性のままであることを可能にする。
【０１１９】
一例の実施形態によれば、モーターを、上記アクチュエータを作動させるように構成すし、第二のアクチュエータを設ける。この第二のアクチュエータは、このアクチュエータおよびこのモーターの遠位に位置しており、このモーターに電気的に接続され、このモーターを作動させて、アクチュエータを駆動させて、アームの剛性およびアームと作用末端との間の接続を増大または減少させるように構成される。
【０１２０】
一例の実施形態によれば、架台本体の上面は、その上に障害がなく平滑かつ平坦であり、その上面は、外科医の手を安定化することを補助するために用いられ得る外科医の手用の休憩台となる。
【０１２１】
一例の実施形態によれば、リッジまたはラチェット歯が、上記ディスク部材の周囲の少なくとも一部のまわりに提供される。
【０１２２】
一例の実施形態によれば、上記器具は、上記ディスク部材、アームの少なくとも一部および架台本体の少なくとも一部を通じて伸びるケーブルを備え、ここでこのディスク部材は、その中に形成されるスロットを備え、このスロットは、このディスク部材が旋回されたとき、それに対するケーブルの屈曲および締め付けを容易にするために湾曲され、それによって、上記架台本体に対してこのディスク部材の異なる角度位置でケーブル長およびケーブル張力のうちの少なくとも１つの変動を排除または減少することを補助する。
【０１２３】
一例の実施形態によれば、上記ディスク部材は、その中に形成されたスロットを備え、このスロットは、このディスク部材が旋回されたとき、それに対するケーブルの屈曲および締め付けを容易にするために湾曲され、それによって、上記架台本体に対してこのディスク部材の異なる角度位置でケーブル長およびケーブル張力のうちの少なくとも１つの変動を排除または減少することを補助する。
【０１２４】
一例の実施形態によれば、アクチュエータが、上記架台本体の近位端でこの架台本体に対して回転自在に取り付けられ、ケーブルが、架台本体、ディスク部材、ボールおよびアームを通じてアクチュエータから伸びる。このアクチュエータおよびケーブルは、アームの状態を、可塑性状態から硬質状態へ、アクチュエータの第一の回転方向での回転によって、および硬質状態から可塑性状態へ、アクチュエータの反対回転方向での回転によって変化させるように構成される。
【０１２５】
一例の実施形態によれば、上記吸引／真空チューブは、その近位端に色分けされたコネクタを備え、このコネクタは、真空源または真空源と液体連絡した別の真空ラインに接続されるように構成される。
【０１２６】
一例の実施形態によれば、キャニスターが、上記吸引／真空チューブと液体連絡して設けられ、このキャニスターは、真空源と液体連絡してこのキャニスターを接続するための開口部を有し、このキャニスターは、その中に液体を捕捉するように構成される。
【０１２７】
一例の実施形態によれば、フィルターは、キャニスターの開口部と液体連絡され、このフィルターは、真空源に連結されるように、およびこのキャニスター由来の流出液から粒子を濾過するように構成される。
【０１２８】
一例の実施形態によれば、このキャニスターは、少なくとも１つの実質的に平坦な側面を有する。
【０１２９】
一例の実施形態によれば、ストラップが、キャニスターに連結されて、このキャニスターを直立方向に吊るすように適合され、ここでこのキャニスターを真空源と連結するための開口部は、このキャニスターと真空チューブとの液体連絡を形成する接続よりも高い。
【０１３０】
一例の実施形態によれば、上記キャニスターの表面は、それからのグレア反射を阻害するように艶消し処理されている。
【０１３１】
本発明の別の態様では、手術器具を操作する方法が提供され、この方法は：この器具の架台本体を固定物に対して装着して、この架台本体が前記固定物に対して動けないようにすることと；この架台本体の遠位端から伸びるアームの方向を調節することと；この架台本体の近位端に対して回転自在に取り付けられたアクチュエータを回転させ、それによって、このアームの方向を硬質な構成で固定することと；を包含する。
【０１３２】
一例の実施形態によれば、張力ケーブルが、上記アームおよび上記架台本体を通じて伸び、かつアクチュエータと接続し、このアクチュエータの回転がケーブルにおける張力を増大する。
【０１３３】
一例の実施形態によれば、上記固定物は胸骨開創器であり、上記アームは硬質な構成の前記胸骨開創器の内面と接触する。
【０１３４】
一例の実施形態によれば、上記器具は、外科用スタビライザーである。
【０１３５】
一例の実施形態によれば、上記器具は、臓器ポジショナーである。
【０１３６】
本発明の別の態様では、以下を備える外科的システムが提供される：外科用開創器であって、そこに対して手術器具を取り付けるために適合された少なくとも１つのレールを有する外科用開創器と；ポジショナーであって以下を備え：上面、第一の遠位端、第一の近位端および第一の底部分を有する第一の本体であり、ここでこの第一の底部分が、この少なくとも１つのレールに対してポジショナーをクランプするように構成された第一の取り付け機構を備え、ここでこの第一の取り付け機構が、第一の固定されたジョーおよび第一の可動式ジョーを備え；かつここで第一の取り付け機構アクチュエータが、第一の可動式ジョーの上で第一の底部分内で枢動可能に取り付けられており、この第一の取り付け機構アクチュエータが、この第一の可動式ジョーをロックされてない位置からロックされた位置へ、そして逆の場合も同じであるが動かすように構成されており、ここでこの第一の取り付け機構アクチュエータは、第一の取り付け機構アクチュエータが近位方向に引っ張られるとき、この第一の可動式ジョーをロックされた位置に向けて動かすように構成されており、ここで第一のカムは、第一の可動式ジョーの底面より上で、かつ第一の取り付け機構アクチュエータの下に取り付けられ、この第一のカムは、この第一の取り付け機構アクチュエータが可動式ジョーをロックするかまたはロックしないように作動するように接続されており、ここでこの第一の上面は、その上に障害がなく、平滑かつ実質的に平坦であり、かつここで、この第一の上面は、外科医の手を安定化することを補助するために用いられ得る、外科医の手の休憩台となり；第一の接合部材であって、第一の架台本体の遠位端部分に枢動可能に取り付けられた第一のディスク部材および第一のディスク部材に固定された第一のスロット付きボールを備え；第一のアームであって、第一の接合部から遠位に伸び、ここで第一の接合部材が、第一のアームの近位端と接合部を形成し；その中に真空空間を規定する吸引部材であって、ここでこの吸引部材は、臓器に十分な吸引力を発揮して、この吸引部材が上記臓器に対して配置され、陰圧が真空空間内に与えられて、この吸引部材をこの臓器と係合し、この吸引部材が動かされるとき、この臓器を動かすように構成されており；第一のアクチュエータであって、第一の架台本体の近位端で第一の架台本体に回転自在に取り付けられるアクチュエータ、および第一のケーブルであって、第一の架台本体、第一のディスク部材、第一のスロット付きボールおよび第一のアームを通って第一のアクチュエータから伸び、この第一のアクチュエータおよび第一のケーブルは、上記アームの状態を、可塑性状態から硬質状態へ、アクチュエータの第一の回転方向での回転によって、および硬質状態から可塑性状態へ、アクチュエータの反対回転方向での回転によって変化するように構成され、ここで上記第一のディスク部材は、その中に形成された第一のスロットを備え、ここでこの第一のスロットは、この第一のディスク部材が旋回されたとき、それに対するケーブルの屈曲および締め付けを容易にするために湾曲され、それによって、上記第一の架台本体に対してこの第一のディスク部材の異なる角度位置で第一のケーブル長および第一のケーブル張力のうちの少なくとも１つの変動を排除または減少することを補助し；ならびに第一の真空チューブであって、上記吸引部材と液体連絡され、ここでこの第一のアクチュエータは、上記ポジショナーと低位の形状で第一の吸引チューブを維持するために第一の吸引チューブを受容しかつ一時的に保持するように構成されたクリップを備え；ここで第一のアクチュエータは、各々のフィンにおいて形成されたクリップの１つを有する複数の第一のフィンを備え、ここでこの第一の真空チューブは、その近位端に第一の色分けされたコネクタを備え、この第一の色分けされたコネクタは、真空源または真空源と液体連絡した別の真空ラインに接続されるように構成され；第一のキャニスターであって、この第一の色分けされたコネクタを介して第一の真空チューブと液体連絡され、この第一のキャニスターは、第一の真空源と液体連絡してこの第一のキャニスターを接続するための第一の開口部を有し、この第一のキャニスターは、その中に液体を捕捉するように構成され、ここでこの第一のキャニスターは、少なくとも１つの実質的に平坦な側面を有し、ここでこの第一のキャニスターの表面は、それからのグレア反射を阻害するように艶消し処理されており；第一のストラップであって、第一のキャニスターに連結され、この第一のキャニスターを直立方向に吊るすように適合され、ここでこの第一のキャニスターを真空源と連結するための第一の開口部は、この第一のキャニスターと第一の真空チューブとの液体連絡を形成する第一の接続よりも高く；第一のフィルターであって、上記第一のキャニスターの第一の開口部と液体連絡され、この第一のフィルターは、上記第一の真空源に連結され、この第一のキャニスター由来の流出液から粒子を濾過するように構成されており：スタビライザーであって、以下を備え：第二の本体であって上面、第二の遠位端、第二の近位端および第二の底部分を有し、ここでこの第二の底部分が、この少なくとも１つのレールに対してスタビライザーをクランプするように構成された第二の取り付け機構を備え、ここでこの第二の取り付け機構が、第二の固定されたジョーおよび第二の可動式ジョーを備え；かつここで第二の取り付け機構アクチュエータが、第二の可動式ジョーの上で第二の底部分内で枢動可能に取り付けられており、この第二の取り付け機構アクチュエータが、この第二の可動式ジョーをロックされてない位置からロックされた位置へ、そして逆の場合も同じであるが動かすように構成されており、ここでこの第二の取り付け機構アクチュエータは、第二の取り付け機構アクチュエータが近位方向に引っ張られるとき、この第二の可動式ジョーをロックされた位置に向けて動かすように構成されており、ここで第二のカムは、第二の可動式ジョーの底面より上で、かつ第二の取り付け機構アクチュエータの下に取り付けられ、この第二のカムは、この第二の取り付け機構アクチュエータが可動式ジョーをロックするかまたはロックしないように作動するよう接続されており、ここでこの第二の上面は、その上に障害がなく、平滑かつ実質的に平坦であり、かつここで、この第二の上面は、外科医の手を安定化することを補助するために用いられ得る、外科医の手の休憩台となり；第二の接合部材であって、第二の架台本体の遠位端部分に枢動可能に取り付けられた第二のディスク部材、および第二のディスク部材に固定された第二のスロット付きボールを備え；第二のアームであって、第二の接合部から遠位に伸び、ここで第二の接合部材が、第二のアームの近位端と接合部を形成し；一対の接触部材であって、組織表面を安定化するために臓器の組織表面に対して影響を及ぼすように構成され、および少なくとも１つの接触部材であって、そこにブロワー／噴霧器デバイスを装着するように構成されるか、その中に組み込まれた、ブロワー／噴霧器デバイスを有しており；第二のアクチュエータであって、第二の架台本体の近位端で第二の架台本体に回転自在に取り付けられるアクチュエータ、および第二のケーブルであって、第二の架台本体、第二のディスク部材、第二のスロット付きボールおよび第二のアームを通って第二のアクチュエータから伸びるケーブルであり、この第二のアクチュエータおよび第二のケーブルは、上記第二のアームの状態を、可塑性状態から硬質状態へ、第二のアクチュエータの第二の回転方向での回転によって、および硬質状態から可塑性状態へ、第二のアクチュエータの反対回転方向での回転によって変化するように構成され、ここで上記第二のディスク部材は、その中に形成された第二のスロットを備え、ここでこの第二のスロットは、この第二のディスク部材が旋回されたとき、それに対するケーブルの屈曲および締め付けを容易にするために湾曲され、それによって、上記第二の架台本体に対してこの第二のディスク部材の異なる角度位置で第二のケーブル長および第二のケーブル張力のうちの少なくとも１つの変動を排除または減少することを補助し；ならびに第二の真空チューブであって、上記吸引部材と液体連絡され、ここでこの第二のアクチュエータは、上記スタビライザーと低位の形状で第二の吸引チューブを維持するために第二の吸引チューブを受容しかつ一時的に保持するように構成されたクリップを備え；ここで第二のアクチュエータは、各々のフィンにおいて形成されたクリップの１つを有する複数の第二のフィンを備え、ここでこの第二の真空チューブは、その近位端に第二の色分けされたコネクタを備え、この第二の色分けされたコネクタは、真空源または真空源と液体連絡した別の真空ラインに接続されるように構成され；第二のキャニスターであって、この第二の色分けされたコネクタを介して第二の真空チューブと液体連絡され、この第二のキャニスターは、第二の真空源と液体連絡してこの第二のキャニスターを接続するための開口部を有し、この第二のキャニスターは、その中に液体を捕捉するように構成され、ここでこの第二のキャニスターは、少なくとも１つの実質的に平坦な側面を有し、ここでこの第二のキャニスターの表面は、それからのグレア反射を阻害するように艶消し処理されており；第二のストラップであって、第二のキャニスターに連結され、この第二のキャニスターを直立方向に吊るすように適合され、ここでこの第二のキャニスターを第二の真空源と連結するための第二の開口部は、この第二のキャニスターと第二の真空チューブとの液体連絡を形成する第二の接続よりも高く；第二のフィルターであって、上記第二のキャニスターの第二の開口部と液体連絡され、この第二のフィルターは、上記第二の真空源に連結され、この第二のキャニスター由来の流出液から粒子を濾過するように構成されている。
【０１３７】
本発明の別の態様では，手術器具であって：架台本体、アーム、接合部およびツールを備える手術器具が提供され；この架台本体は、開創器に対して取り付けられるように構成され、この架台本体の底面は、取り付けられた場合、開創器と面し、この架台本体の前方端部は、この底面に対してある角度で移動し；このアームは、この架台本体の前方端部に対して接合部を介して近位端に枢動可能に連結され；このツールは、このアームの遠位端に連結され；このアームは、上記架台本体に対して複数の位置の間で可動式であるように、かつこれらの位置で一時的にロック可能であるように構成されており；この接合部は、上記架台本体から伸びてそれに隣接するアームの近位部分が、上記架台本体に対して実質的に垂直である位置で旋回可能であり、かつ一時的にロック可能であるように構成されている。
【０１３８】
一例の実施形態によれば、上記手術器具はさらに、異なる大きさの複数の開創器のいずれか１つに対して上記架台本体を接続するように構成された自在コネクタを備える。
【０１３９】
一例の実施形態によれば、上記接合部はディスク部材を備える。
【０１４０】
一例の実施形態によれば、上記接合部はスロット付きボールを備える。
【０１４１】
一例の実施形態によれば、上記器具は、上記架台本体の近位端でこの架台本体に対して回転自在に取り付けられたアクチュエータと、架台本体、ディスク部材、スロット付きボールおよびアームを通じてこのアクチュエータから伸びるケーブルとを備え、このアクチュエータおよびケーブルは、アームの状態を可塑性状態から硬質状態へ、アクチュエータの第一の回転方向での回転によって、ならびに硬質状態から可塑性状態へ、アクチュエータの反対回転方向での回転によって変化するように構成されている。
【０１４２】
一例の実施形態によれば、チューブが、上記ツールと液体連絡して設けられる。
【０１４３】
一例の実施形態によれば、チューブが、上記ツールと液体連絡して設けられ、上記アクチュエータは、上記チューブを上記器具と低位の形状の配置で維持するために上記チューブを受容しかつ一時的に保持するように構成されたクリップを備える。
【０１４４】
一例の実施形態によれば、上記架台本体は、上記チューブを受容し、かつ取り外し可能に保持するようにサイズ決めされた凹部分を備える。
【０１４５】
一例の実施形態によれば、上記器具はスタビライザーであり、かつ上記ツールは、組織表面を安定化するために上記組織表面に対して影響するように構成された少なくとも１つの接触部材を備える。
【０１４６】
一例の実施形態によれば、上記器具は、ポジショナーであり、かつ上記ツールは、その中に真空空間を規定する吸引部材を備え、ここでこの吸引部材は、臓器に十分な吸引力を発揮して、この吸引部材がこの臓器に対して配置され、陰圧が上記真空空間内に与えられて、この吸引部材をこの臓器と係合し、この吸引部材が動かされるとき、この臓器を動かすように構成されている。
【０１４７】
一例の実施形態によれば、上記器具は、上記ディスク部材、上記アームの少なくとも一部、および上記架台本体の少なくとも一部を通じて伸びるケーブルを備え、ここでこのディスク部材は、その中に形成されたスロットを備え、このスロットは、このディスク部材が旋回されたとき、それに対するケーブルの屈曲および締め付けを容易にするように湾曲され、それによって、架台本体に対するディスク部材の種々の角度位置で、ケーブル長およびケーブル張力のうちの少なくとも１つの変動を排除または減少するように補助する。
【０１４８】
一例の実施形態によれば、アクチュエータが、上記架台本体の近位端でこの架台本体に対して回転自在に取り付けられ、ケーブルが、この架台本体、ディスク部材、ボールおよびアームを通ってこのアクチュエータから伸びる。このアクチュエータおよびケーブルは、上記アームの状態を、可塑性状態から硬質状態へ、アクチュエータの第一の回転方向での回転によって、および硬質状態から可塑性状態へ、アクチュエータの反対回転方向での回転によって変化するように構成される。
【０１４９】
一例の実施形態によれば、キャニスターが、上記チューブと液体連絡して設けられ、このキャニスターは、真空源と液体連絡してこのキャニスターを連結するための開口部を有し、このキャニスターは、その中に液体を捕捉するように構成されている。
【０１５０】
一例の実施形態によれば、フィルターが、上記キャニスターの開口部と液体連絡されており、このフィルターは、上記真空源に連結され、このキャニスター由来の流出液から粒子を濾過するように構成されている。
【０１５１】
一例の実施形態によれば、ストラップが、上記キャニスターに接続され、このキャニスターを直立方向に吊るすように適合されており、ここで真空源とこのキャニスターを接続するための上記開口部は、上記真空チューブとのキャニスターの液体連絡を形成する接続よりも高い。
【０１５２】
本発明の別の態様では、手術器具であって、架台本体、アーム、ツール、およびチューブを備え；この架台本体は、開創器または手術台に対して取り付けるように構成され；このアームは、この架台本体の近位端に枢動可能に連結され；このツールは、このアームの遠位端に連結され；このアームは、この架台本体に対して複数の位置の間で可動式であるように、かつこれらの位置で一時的にロック可能であるように構成されており；このチューブの遠位端は、このアームの遠位端に接続されるか、またはそれと隣接しており；この架台本体は、このチューブを取り外し可能に保持するように構成されている、手術器具が提供される。
【０１５３】
一例の実施形態によれば、上記架台本体は、上記チューブを受容しかつ取り外し可能に保持するようにサイズ決めされた凹部分を備える。
【０１５４】
一例の実施形態によれば、上記架台本体は、上記チューブを受容しかつ取り外し可能に保持するようにサイズ決めされたクリップを備える。
【０１５５】
一例の実施形態によれば、上記架台本体はさらに、上記手術器具に対して回転自在に取り付けられたアクチュエータを備え、このアクチュエータは、アームの状態を可塑性状態から硬質状態へアクチュエータの第一の回転方向での回転によって、および硬質状態から可塑性状態へアクチュエータの反対回転方向での回転によって変化するように構成され；かつこのアクチュエータは、上記チューブを取り外し可能に保持するように構成されている。
【０１５６】
一例の実施形態によれば、上記アームは、接合部を介して上記架台本体に対して枢動可能に連結される。
【０１５７】
一例の実施形態によれば、上記接合部は、ディスク部材を備える。
【０１５８】
一例の実施形態によれば、上記接合部はスロット付きボールを備える。
【０１５９】
一例の実施形態によれば、上記チューブは、上記ツールと液体連絡される。
【０１６０】
一例の実施形態によれば、上記アクチュエータは、上記器具と低位の形状でチューブを維持するように、このチューブを受容しかつ一時的に保持するように構成されたクリップを備える。
【０１６１】
一例の実施形態によれば、上記器具は、スタビライザーであり、かつ上記ツールは、組織表面を安定化するようにこの組織表面に対して効力を発揮するように構成された少なくとも１つの接触部材を備える。
【０１６２】
一例の実施形態によれば、上記器具は、ポジショナーであり、かつ上記ツールは、その中に真空空間を規定する吸引部材を備え、ここでこの吸引部材は、臓器に十分な吸引力を発揮して、この吸引部材がこの臓器に対して配置され、陰圧が上記真空空間内に与えられて、この吸引部材をこの臓器と係合し、この吸引部材が動かされるとき、この臓器を動かすように構成されている。
【０１６３】
一例の実施形態によれば、上記器具は、上記ディスク部材、アームの少なくとも一部および架台本体の少なくとも一部を通じて伸びるケーブルを備え、ここでこのディスク部材は、その中に形成されるスロットを備え、このスロットは、このディスク部材が旋回されたとき、それに対するケーブルの屈曲および締め付けを容易にするために湾曲され、それによって、上記架台本体に対してこのディスク部材の異なる角度位置でケーブル長およびケーブル張力のうちの少なくとも１つの変動を排除または減少することを補助する。
【０１６４】
一例の実施形態によれば、アクチュエータが、上記架台本体の近位端でこの架台本体に対して回転自在に取り付けられ、ケーブルが、架台本体、ディスク部材、ボールおよびアームを通じてこのアクチュエータから伸びる。このアクチュエータおよびケーブルは、アームの状態を、可塑性状態から硬質状態へ、アクチュエータの第一の回転方向での回転によって、および硬質状態から可塑性状態へ、アクチュエータの反対回転方向での回転によって変化させるように構成される。
【０１６５】
一例の実施形態によれば、キャニスターが、上記チューブと液体連絡して設けられ、このキャニスターは、真空源と液体連絡してこのキャニスターを接続するための開口部を有し、このキャニスターは、その中に液体を捕捉するように構成される。
【０１６６】
一例の実施形態によれば、フィルターが、キャニスターの開口部と液体連絡され、このフィルターは、真空源に連結されるように、およびこのキャニスター由来の流出液から粒子を濾過するように構成される。
【０１６７】
一例の実施形態によれば、ストラップが、キャニスターに連結されて、このキャニスターを直立方向に吊るすように適合され、ここでこのキャニスターを真空源と連結するための開口部は、このキャニスターと真空チューブとの液体連絡を形成する接続よりも高い。
【０１６８】
本発明のこれらおよび他の特徴は、以下に詳細に記載されるような、器具および方法の詳細を読めば、当業者には明白になるであろう。
【図面の簡単な説明】
【０１６９】
【図１】図１は、本発明のある実施形態による外科用スタビライザー器具として構成された、手術器具を図示する。
【図２】図２は、先行技術のスタビライザーアームの能力に対して、胸骨開創器の内面に極めて近くに位置する能力を有するアームを提供する、本発明による接合部材の能力を図示する。
【図３】図３は、本発明のある実施形態による外科用スタビライザー器具の斜視図である。
【図４】図４は、図３のスタビライザー器具の分解図である。
【図５】図５は、本発明のある実施形態による、取り付け機構に対して枢動可能に取り付けられたディスク部材によって形成される、自在軸受け接合部を備える、接合部材を図示する縦断面図である。
【図６】図６は、図５に図示される自在軸受け接合部によって提供される旋回運動を図示する。
【図７】図７は、本発明のある実施形態による、その近位部分を通じてスロットを付けられたディスク部材を図示する。
【図８】図８は、図５の部分的な断面図をとった面に直角の面でとったスロットの部分的な縦断面図の上面図である。
【図９】図９は、本発明による接合部材の別の実施形態を図示しており、ここでは、ボールが、ディスク部材に対して回転式に取り付けられる。
【図１０】図１０は、本発明による、図９に示されるボールに対する別の実施形態を、示す。
【図１１】図１１は、アクチュエータ（示さず）が、ディスクに対して架台本体を駆動し、それによって本体に対するディスクの角度位置をロックするように作動させられる構成を、本発明のある実施形態によって示す。
【図１２】図１２は、図１１の実施形態の断面図であるが、さらにアクチュエータを示す。
【図１３Ａ】図１３Ａは、ボールがネスティングし得る、スカラップ形状の戻り止めが備えられる配置の側面図を、本発明のある実施形態によって図示する。
【図１３Ｂ】図１３Ｂは、図１３ＡのラインＡ−Ａに沿ってとった上断面図を図示する。
【図１４】図１４は、本発明のある実施形態による、接合部材および取り付け機構を図示しており、ここでは、ノッチまたはスロットが、架台本体に設けられ、そしてボール（そうでなければディスク部材）は、ディスク部材が架台本体に対して旋回するにつれて、ノッチまたは溝中でスライドする機構（リップ、中子またはフィンガー）を設けられる。
【図１５】図１５は、本発明のある実施形態による、三スロット（ｔｒｉ−ｓｌｏｔ）構成を有するボールを図示する。
【図１６Ａ】図１６Ａは、ボールにスロットが設けられ、かつ架台本体の遠位端に対して回転可能に取り付けられている、接合部材を、本発明のある実施形態によって図示する。
【図１６Ｂ】図１６Ｂは、ボールにスロットが設けられ、かつ架台本体の遠位端に対して回転可能に取り付けられている、接合部材を、本発明のある実施形態によって図示する。
【図１６Ｃ】図１６Ｃは、ボールにスロットが設けられ、かつ架台本体の遠位端に対して回転可能に取り付けられている、接合部材を、本発明のある実施形態によって図示する。
【図１７】図１７は、アームおよびアクチュエータの両方ともが取り付け機構に対して角度が可動式であるデバイスを、本発明のある実施形態によって示す。
【図１８】図１８は、スロット付きボールが架台本体に組み込まれた配置を、本発明のある実施形態によって図示する。
【図１９】図１９は、図１６Ａ〜１６Ｃの実施形態と同様の接合部材であって、ただし上記ボールに、そのボールを通じた経路を規定する貫通穴のような開口部を設けられる接合部材を、本発明のある実施形態によって図示する。
【図２０Ａ】図２０Ａは、スタビライザー器具として構成される手術器具であって、取り付け機構の固定部分に対するアームおよび作用末端の旋回運動が、取り付け機構の頂部上に回転式に取り付けられたタレットによって提供される、手術器具を、本発明のある実施形態によって図示する。
【図２０Ｂ】図２０Ｂは、図２０Ａのデバイスの部分的な縦方向の断面図である。
【図２０Ｃ】図２０Ｃは、アクチュエータレバーが、多くの異なる角度で上記ケーブルを締め付けるように作動され得ることを図示する。
【図２１】図２１は、タレットを用いる接合部材であって、このタレットが、ディスク部材およびボールで形成されている接合部材を、本発明のある実施形態によって図示する。
【図２２】図２２は、臓器ポジショナー器具として構成された手術器具を、本発明のある実施形態によって示す。
【図２３】図２３は、図２２の器具の分解図である。
【図２４】図２４は、２つの手術器具であって、第一は、ポジショナー器具として構成され、第二は、スタビライザー器具として構成され、両方ともが胸骨開創器のレールに取り付けられた手術器具を、本発明のある実施形態によって示す。
【図２５】図２５は、図２２のデバイスの部分的な縦方向の断面図である。
【図２６】図２６は、図２５の部分的な断面図をとった面に直角の面でとった部分的な縦断面図の、スロットの上面図である。
【図２７】図２７は、本発明のある実施形態による取り付け機構の詳細を図示する部分図である。
【図２８Ａ】図２８Ａは、ロックされた位置で近位に引っ込んで、取り付け機構で引き締められたアクチュエータを、本発明のある実施形態によって示す。
【図２８Ｂ】図２８Ｂは、本発明のある実施形態による、図２８Ａのアクチュエータを、ロックされていない構成で図示する。
【図２８Ｃ】図２８Ｃは、２８Ｃ−２８Ｃの線に沿ってとった図２８Ａの断面図である。
【図２８Ｄ】図２８Ｄは、２８Ｄ−２８Ｄの線に沿ってとった図２８Ｂの断面図である。
【図２９Ａ】図２９Ａは、本発明のある実施形態による、アクチュエータの側面図および端面図を示す。
【図２９Ｂ】図２９Ｂは、本発明のある実施形態による、アクチュエータの側面図および端面図を示す。
【図２９Ｃ】図２９Ｃは、チューブを取り外し可能に保持するように構成された架台本体を有するスタビライザー器具として構成された手術器具を、本発明のある実施形態によって図示する。
【図３０Ａ】図３０Ａは、本発明の別の実施形態による、アクチュエータのそれぞれ側面図および端面図を示す。
【図３０Ｂ】図３０Ｂは、本発明の別の実施形態による、アクチュエータのそれぞれ側面図および端面図を示す。
【図３１Ａ】図３１Ａは、本発明のある実施形態によるキャニスターの斜視図である。
【図３１Ｂ】図３１Ｂは、３１Ｂ−３１Ｂの線に沿ってとった図３１Ａのキャニスターの縦方向の断面図である。
【図３１Ｃ】図３１Ｃは、３１Ｃ−３１Ｃの線に沿ってとった図３１Ａのキャニスターの縦方向の断面図である。
【図３１Ｄ】図３１Ｄは、本発明のある実施形態による、キャニスターとともに示されるストラップを図示する。
【図３２】図３２は、各々がキャニスターを備える、スタビライザー器具およびポジショナー器具の使用を、本発明のある実施形態によって図示する。
【図３３Ａ】図３３Ａは、本発明のある実施形態による、別の取り付け機構アクチュエータを示す。
【図３３Ｂ】図３３Ｂは、本発明のある実施形態による、別の取り付け機構アクチュエータを示す。
【図３４Ａ】図３４Ａは、スタビライザー器具の作用末端で設けられ得る別の機構を、本発明の種々の実施形態によって図示する。
【図３４Ｂ】図３４Ｂは、スタビライザー器具の作用末端で設けられ得る別の機構を、本発明の種々の実施形態によって図示する。
【図３５】図３５は、改良型であって、それによって、接触部材がその外側端部で厚い方の寸法からその内側端部１６’で薄い方の寸法に細くなる改良型を、本発明のある実施形態によって図示する。
【図３６】図３６は、別のアームを有するデバイスの実施形態であって、その遠位にケーブル中で張力を調節するためにユーザーが調節可能である、中間リンクが設けられる実施形態を、本発明のある実施形態によって図示する。
【図３７】図３７は、本発明の実施形態による、別の作用機構を有するデバイスのある実施形態を図示する。
【発明を実施するための形態】
【０１７０】
発明の詳細な説明
本発明の装置および方法を説明する前に、本発明が、本明細書に記載する特定の実施形態に限定されず、当然ながら、それ自体として変形し得ることが理解されるべきである。
また、本発明の範囲は添付の請求項によってのみ限定されるので、本明細書に用いられる用語は特定の実施形態を説明するためのものに過ぎず、本発明を限定するためのものではないことも理解されるべきである。
【０１７１】
値の範囲を示す場合、その範囲の上限と下限の間に介在する各値は、別の明確な定義が文脈にない限り下限の単位の小数第１位まで、やはり具体的に開示されているものと理解される。記載の範囲における任意の記載値または介在値と、その記載範囲における任意の他の記載値または介在値との間の各々のより小さい範囲は、本発明に包含される。これら小さい方の範囲の上限および下限は、独立して、その範囲に含まれる値であっても、除外される値であってもよく、上限下限のいずれか一方を含むか、両方とも含まないか、または両方とも含む各範囲も、より小さい範囲内に含まれ、また本発明に包含されるが、記載の範囲中で特にいずれかの限界値が排除されれば、それに従う。記載の範囲が上限と下限の一方または両方を含む場合、それらの包含される限度のうちの一方または両方を排除する範囲も本発明に包含される。
【０１７２】
別に定義されていない限り、本明細書で用いられる全ての技術用語および科学用語は、本発明が属する分野の当業者が通常理解しているのと同じ意味を有する。本明細書に記載するものと同様または同等のいずれの方法および材料も、本発明の実施または試験に用いることができるが、好ましい方法および材料を以下に記載する。本明細書で言及される全ての刊行物は、それらの刊行物が記述する方法および／または材料を開示し説明するために、引用によって本明細書に援用される。
【０１７３】
なお、本明細書において、および添付の特許請求の範囲において用いる場合、「ロック（する）（ｌｏｃｋ）」または「ロックされた（される）（ｌｏｃｋｅｄ）」という用語は、制約するか、もしくは動けないようにするか、または動くことが難しくすることを意味するものとする。
【０１７４】
なお、本明細書および添付の特許請求の範囲において用いられている「１つの、ある（不定冠詞：ａ、ａｎ）」および「この、その、上記、前記（定冠詞：ｔｈｅ）」という単数形は、文脈上特段示すのでない限り複数形の言及も包含している。従って、例えば、「ある（ａ）接触部材」という言及は、このような接触部材が複数ということも包含し、「その（ｔｈｅ）デバイス」という言及は、１つ以上のデバイスおよび当業者に公知のその等価物などの言及を包含する。
【０１７５】
本明細書で考察される刊行物は、それらの開示が本出願の出願日前であるものとして提示するに過ぎない。先行発明を理由に、そのような刊行物に先行する権利を本発明に与えないことの承認と解釈されるべきものは本明細書には一切ない。さらに、ここに提示した公開の日は、実際の公開日とは異なる場合があり、個別に確認する必要があり得る。
【０１７６】
本明細書に記載される器具は、心臓での使用のために記載されているが、これらの器具は、心臓での使用に限定されるのではなく、他の臓器または組織を位置決めおよび／または安定化するためのような、他の臓器または組織での外科的手順のために用いられ得る。
【０１７７】
図１は、本発明のある実施形態による、スタビライザー器具１０として構成された手術器具を示す。スタビライザー器具１０は、胸骨開創器、手術台などのような、相対的に固定されたものに対してスタビライザー器具１０を取り付けるために構成された取り付け機構２０を備える。図１では、スタビライザー器具１０が、胸骨開創器２００のレール２０２に取り付けられる。この胸骨開創器が示されており、開口部２が患者１の心臓４を露出するために広げられる、開胸手順で用いられている。
【０１７８】
スタビライザー器具１０はさらに、架台本体２２の遠位端２４に対して枢動可能に連結されており、かつそれから遠位に伸びる、アーム１２を備える。架台本体２２の上面２６は、低位の形状を有し、かつ好ましくは、円滑であって、そのため縫合糸、手術用手袋または平滑でない表面上に捕えられやすい任意の他の物体を捕えることがない。さらにこの円滑な表面は、例えば、縫合の間に手を置いておくことを補助するために、手または指を休めるために外科医によって用いられ得る。アーム１０は、架台本体２２の遠位端２４から伸びるのであって、多くの先行技術の器具においてのように上面２６からではないので、これによって、患者１の胸部２および胸骨開創器２００の高さに対して低位の形状が得られる。これによって、外科的な作業空間３に接近するように試みる外科医またはその他の何者かに対して（装着機構の上面に対してアームが結合されている、先行技術のスタビライザー器具と比べて）邪魔が少ない器具が得られる。
【０１７９】
スタビライザー器具１０はさらに、アーム１２の遠位端部分に取り付けられた作用末端１４を備える。スタビライザー器具１０の作用末端１４は、少なくとも１つの接触部材１６を備える。一対の接触部材１６が、図１に示される実施形態で提供される。接触部材１６は、手術の標的領域で組織の表面に接触して、組織を安定化し、かつ手術手順の遂行を容易にするように構成されて寸法決めされる。例えば、図１では、接触部材は、吻合術が行われる冠状動脈の反対側で心臓４の表面に接触するように形成され、構成され、寸法決めされる。
【０１８０】
接触部材１６は、機械的手段（これは、必要に応じて、接触面を増強する摩擦を備えてもよい）によって、吸引を与えることによって、またはそれらの組み合わせによって、組織を係合するように構成され得る。本発明の実施形態による手術用スタビライザー器具で使用され得る接触部材には多くの異なる実施形態がある。このような接触部材および接触部材の詳細のさらなる例は、米国特許第５，７２７，５６９号；同第５，８７５，７８２号；同第５，８９４，８４２号；同第５，９０６，６０７号；同第５，９５７，８３５号；同第５，９７６，０６９号；同第６，０３２，６７２号；同第６，０３６，６４１号；同第６，０５０，２６６号；同第６，１２０，４３６号；同第６，２１３，９４１号；同第６，２３１，５０６号；同第６，２８３，９１２号；同第６，２９０，６４４号；同第６，３１５，７１７号；同第６，３３１，１５８号；同第６，３４６，０７７号；同第６，３７５，６１１号；同第６，３９４，９５１号；同第６，４０６，４２４号；同第６，５１１，４１６号；同第６，６２６，８３０号；同第６，６５２，４５４号；同第６，６５６，１１３号；同第６，６７３，０１３号；同第６，６８５，６３２号；同第６，７０１，９３０号；同第６，７４３，１６９号；同第６，７５８，８０８号；同第６，８４９，０４４号；同第６，８５２，０７５号；同第６，８９３，３９１号；同第７，０５６，２８７号；同第７，２２０，２２８号；同第７，２３８，１５５号；同第７，３２６，１７７号；同第７，３３５，１５８号；同第７，４８５，０９０号；同第７，４９７，８２４号；同第および同第７，５０３，８９１号（その各々が、全体として、それに対する参照によって、本明細書に援用される）に見ることができる。
【０１８１】
架台本体２２は、その遠位端２４が、胸骨開創器２００の内面２００ｉと、特に、胸骨開創器のアーム／ブレード２０４の内面と、実質的に側方に同一平面であるように構成され、かつ寸法決めされる。あるいは、遠位端２４は、内面２００ｉをわずかに超えて伸びてもよいし、または内面２００ｉの末端でわずかに近位に終端してもよい。図１に示されるように、スタビライザー器具が、レール２０２に固定されるいずれの場合にも、架台本体２０の遠位端２４は、実質的に手術上の作業空間３に伸びず、従って、現在利用可能な外科用スタビライザーよりも形成される障害物はかなり少ない。さらに、アーム１２を接続する接合部材３０は、図２に示されるように、先行技術のスタビライザー１０００の先行技術のスタビライザーのアーム１０１２の能力に対して、内面２００ｉの極めて近くに位置する能力を提供する能力をアーム１２に提供する。これはまた、スタビライザー１０および特にスタビライザーのアーム１２によって創出される障害物の量を減らす。接合部材３０はさらに、アーム１２が、内面２００ｉと接触するように配向することを可能にする。さらに、接合部材２０は、接合部材３０から伸びてすぐ隣接するアーム１２の一部が、図２に図示されるように、架台本体２２に対して実質的に垂直な位置で旋回可能であり、かつ一時的にロック可能であるように構成される。特に、図２に示されるように、アーム１２の最も近位のリンク４４は、架台本体２２に対して実質的に垂直に（すなわち、約８０度〜約９０度の角度で）配置され得る。
【０１８２】
接合部材３０は、その遠位端部分で架台本体２２に対して枢動可能に取り付けられ、その結果アーム１２（接合部材３０の遠位端に接合される）は、架台本体２２の遠位端２４から伸びる。図３は、本発明の実施形態による、外科用スタビライザー器具１０の斜視図である。作用末端１４は、上記で参照によって援用される以前の特許で詳細に記載されているように、接合部５６（図３に示される実施形態におけるボールおよびソケット接合部）を介してアーム１２の遠位端に取り付けられる。
【０１８３】
アーム１２は、アーム１２が第一の構成で可塑性であることを可能にするが、第二の構成ではアーム１２を実質的に硬質にさせるように圧縮され得る、複数の関節接合性のリンク４０を備える。図３に示される実施形態では、リンク４０は、交互のボール接合部４２および両凹面のディスク４４を備える。ボール４２は、プラスチックからできていて、ディスク４４ができている物質（通常はプラスチック）の硬さほどではない硬さを有する。これによって、ディスク４４は、それを通る張力部材に対して張力を適用することによって加えられる構成要素の圧縮の間にボール４２中に組み込まれることが可能になり、これによってこの組み込まれたディスクによって課されるグリップによって、アームの剛性が増大する。適切なアームのさらなる詳細および例は、その全体が参照によって本明細書に援用される、米国特許第６，５０６，１４９号に記載される。あるいは、リンク４０は、一連のボール接合部を備えてもよく（ただし、別法はこれらの例に限定されない）、一連の接合部は、１つの凸側および１つの凹側、または米国特許第６，５０６，１４９号に記載の他の実施形態の任意のもの、または米国特許第６，７５８，８０８号に記載の実施形態の任意のものを例えば備えてもよい。
【０１８４】
各々のリンク４０は、中央チャネル４０ｃを備え、それを通して、両方の末端で細くなる場合があり、ケーブル４６（図４の分解図を参照のこと）がそれを円滑にかつ容易に通過する（そしてアームの硬質状態の剛性を改善する）ことが可能になる。ケーブル４６は、リンク４０、接合部材３０、架台本体２２を通じて伸び、作動機構５０に対して近位に連結し、接合部５６をロックするかまたはロックしないように構成された機構に対して遠位に連結する。アーム１２の遠位端で最も遠位の関節接合性の部材４３は、関節接合性の部材４３の遠位端で開口する空洞４３ｃを備え、カップリング部材５８、４７および６０を少なくとも部分的に受容するように適合される。ソケット部材５６ｓは、スタビライザーアーム１２の遠位端をキャップして、スタビライザーを通る張力ケーブル４６と呼応して、カップリング部材５８、４７および６０を介して最も遠位の関節接合性の部材４３に適合される。
【０１８５】
ソケット部材５６ｓは、ボール部分５６ｂ（ここに作用末端１４が固定される）を自由に受容するように寸法決めされている開口部５６ｐを備える。ソケット部材５６ｓはさらに、ステム５６ｔを受容するように寸法決めされたスロット５６１を備え、これによってステム５６ｔはスロット５６１中で自由にスライドすることが可能になるが同時に、ボール部分５６ｂがそれを通過することを妨げる。近位開口部がソケット部材５６ｓに設けられて、カップリング部材５８、４７および６０の少なくとも一部を受容するように寸法決めされる。
【０１８６】
カップリング部材６０は、近位の開口部内に受容されるソケットキャップであり得る。ソケットキャップ６０は、ボール部分５６ｂに隣接して、それをソケット部材５６ｓ中でその位置に維持するためのベースまたはキャップ部分（米国特許第６，７５８，８０８号に詳細に示されかつ記載される）を備える。示される例では、キャップ部分は、ボール部分５６ｂの球面に対して乗るように寸法決めされた環状開口部を有する実質的に平坦な底面を有する。当然ながら、同じ機能、例えば、ボール部分５６ｂに対して力を加え、ソケット部材５６ｓ内でボール部分を維持する能力を達成し、一方でこのボール部分が回転することも可能にする、底面の他の構成が考慮される。さらに、加える力を増大すれば、このキャップ部分は、ボール部分５６ｓをロックして、それが回転することを妨げる能力を有する。
【０１８７】
ソケットキャップ６０の外面は実質的に円柱状であって、かつカップリング部材５６ｓの空洞（その近位開口部によって導入される）内に、スライド可能にかつ回転自在にフィットするように適合される。これによって、スタビライザー１０が硬質でない状態のとき、操作性のアーム１２の長軸にそった作用末端１４の回転が可能になる。ソケットキャップ６０の近位部分は、ケーブルに張力がかけられるとき、最も遠位の関節接合性の部材４３に隣接し、ボール部分５６ｂに対して力を伝達するように適合された駆動面を備える。スタビライザー１０のケーブル４６における完全な張力の解放の際、ソケット部材５６ｓは、例えば、既存の作用末端１４を異なるもので置き換えることによって設定を変化させるために、最も遠位の関節接合性の部材４３から遠ざかる方向に、開口部５６ｐを通じてボール部分５６ｂを引き抜くことを可能にするのに十分な距離だけ引っ張られてもよい。従って、異なる設計または構成を選択するために作用末端１４の間で変化を作り出してもよいし、または、異なる原理で作動する末端へ変化させてもよい。例えば、拍動している心臓組織に対して物理的圧力を加えることによって作動する、機械的接触部材からの変化は、真空で心臓を係合する、陰圧接触部材で置き換えられてもよい。これに関して、本明細書に記載される任意の接触部材は、記載されるスタビライザー１０での作動のために交換されてもよい。さらに、他の公知の接触部材を、当業者は用いてもよいし、または用いるように適合させてもよい。
【０１８８】
ソケットキャップ６０はさらに、カップリング部材５８のアームを受容するように寸法決めされた凹部分または開放部分を備える。この凹部分は、ソケットキャップ６０の長さを超えて連続し、またキャップ部分の周囲に沿って規定される。この方法では、カップリング部材５８のアームは、ソケットキャップとインターフィットして、その外側周囲と連続して、ソケット部材５６ｓに対する回転について円柱面を形成する。ソケット部材５６ｓの内面は、近位端の近くで切り取られて、近位端部分の内側外周に沿って伸びる環状の溝を形成し、それによって形成されるリップの基礎となる。組立の際、アームの遠位端でカップリング部材５８のアームから外側に伸びる枝歯（ｔｉｎｅ）は、この溝を係合し、かつリップによって、ソケット部材５６ｓから引き出されることが防がれる。このリップおよび溝は、ソケット部材５６ｓの全体の内側周囲に沿って伸びるので、カップリング部材５８は、スタビライザー１０のロックされていない構成では、ソケットキャップ６０と回転することが自由である。枝歯の外側末端は好ましくは、ソケット部材５６ｓへのカップリング部材５８の挿入を容易にするために、面取りされるか、傾斜される。
【０１８９】
ケーブルフィッティングは、カップリングアセンブリの一部として提供され、そして拡大されたボール形状または他の形状の停止部分／カップリング部材４７を備え、これは、カップリング部材５８に対して隣接し、ケーブルがそれらに対して整列されるとき、カップリング部材に対して力を加えるように適合された隣接面を有する。
【０１９０】
ケーブル４６の近位端は、それぞれ、ケーブル４６の近位端部分を近位に引き抜くか、またはそれを架台本体２２に対して遠位に動かすことによって、ケーブル４６における張力を増大または減少するように構成される作動機構に連結される。張力の増大または減少は、図３〜４に示されるノブのように、アクチュエータ５２によって作動される。機構５０およびこのような機構の別の実施形態の操作についてのさらなる詳細は、例えば、米国特許第６，７５８，８０８号、および上記の引用文献によって援用される他の特許で見出され得る。同じ機能を提供する他の機構が置き換えられてもよいので、本発明は、図４に示される機構５０に限定されないものとする。
【０１９１】
図３〜４に示される実施形態では、作用末端１４は、安定化されるべき組織の表面に対して吸引（陰圧）を与え、接触表面が組織を係合するように構成される、接触部材１６の接触面を通じる開口部１６ｓを備える。開口部１６ｓは、その近位端で、陰圧源と液体連絡されて連結されるように構成されている真空チューブ６２と液体連絡される。真空チューブ６２の近位端に設けられるコネクタ６４は、色分けされ（例えば、青に色分けされるか、またはいくつかの他の別個の色）、その結果ユーザーはこの真空チューブを、この手順の間に用いられ得る他の真空チューブから容易に視覚的に識別できる（例えば、下で詳細に考察される、ポジショナー用の真空チューブ）。これは、誤った真空源に対する真空チューブの誤った装着を防ぐことを補助するために、例えば、陰圧の大きさのような、異なる真空チューブが異なる真空特徴を要する場合には重要であり得る。ルアーまたは配管を色分けすることは、チューブを識別する安価な方法である。
【０１９２】
接合部材３０は、図３に図示されるように、そして図５の部分的な縦方向の断面図で図示されるように、取り付け機構２０に対して枢動可能に取り付けられたディスク部材３４によって形成される自在軸受け接合部３２を備える。自在軸受け接合部３２によって得られる旋回運動によって、スタビライザーアーム１２は、外れて旋回することが可能になり、その結果、このアームは、手術の作業空間３へ過度に突き出すことはない。図６に図示されるとおり、このアームは、架台本体２２に対してディスク部材３４を旋回することによって、架台本体２２の遠位端２４の右側または左側に向かって旋回され得、その結果アーム１２は、開創器２００ｉの内面に隣接するかまたは接触さえして、従って、手術の作業空間３の周辺の輪郭に沿うように調節され得る。旋回運動は、ディスク部材３４と共存している単一面に沿って達成され得る。さらに、旋回は、架台本体２２に対する作動機構５０の動きなしに生じ得る。
【０１９３】
ディスク部材３４は、スロット３４ｓと、その近位部分を通じてスロットを付けられて、上面および底面の近位ディスク表面３４ｐを形成し、ここではこのスロット３４ｓは通常、図７に示されるように、ディスク部材３４の末梢の少なくとも約１２０度、さらに一般的には少なくとも約１５０度を通じて掃引し、そしてディスク部材３４の中心に伸びる。スロット３４ｓは、架台本体２２に対してディスク部材３４の回転位置を維持しながら（すなわち、変化させることも影響することもなく）、ケーブル４６が張力をかけられることを可能にする。ディスク部材３４の中心での旋回ポイントによって、ディスク部材３４は、ケーブル４６に張力を掛けるときに、その角度位置を維持することができる。
【０１９４】
図５の部分的な断面図をとった面に直角の面でとった部分的な縦断面図で、スロット３４ｓの上面図を示す、図８の実施形態に示されるように、ディスク部材３４は、ピンなしで円形スロット中において回転する。旋回運動は、ディスク部材３４および円形スロットの接合円形表面に沿ってスライドすることによって生じる。このディスク部材３４は、架台本体２２の遠位端２４内に形成される円形スロット２２ｓとの摩擦および締まりばめによって適所に保持される。ディスク部材３４の半径は、スロット２２ｓの湾曲の半径よりもわずかに大きい。ケーブル４６が張力を与えられるとき、ディスク部材３４は、円形スロット２２ｓによって形成されるシート中に引っ張られる。ディスク部材３４の上および底の円形端部で角を除去することによって形成される面取りされた面３４ｒ（図５を参照のこと）は、ディスク部材３４を配置することを容易にするために旋回され得る。ケーブル４６に張力がかけられない場合、ディスク部材３４は、アーム１２、架台本体２４の遠位端、およびケーブル４６によって架台本体の遠位端に保持される。湾曲３４ｃはスロットの遠位端で、ディスク部材３４が旋回されたとき、それに対するケーブルの屈曲および締め付けを容易にして、ディスク部材３４の異なる角位置でケーブル長／張力の変動を排除または軽減するように補助する。好ましくは、ディスク部材は、ステンレス鋼のような金属であり、そしてボール３６は、プラスチックであり、かつディスク部材３４上に圧入される。ボール部材３６は、アーム中の他のボールと同様、アーム１２がロックされた構成である場合、ディスク部材４４がボール３６中に食い込んでアーム１２に対してさらに剛性を与えることを補助するように、ボールが連結するディスク部材４４よりも軟性である。
【０１９５】
さらに、接合部材３０は、図７に示されるようにディスク部材３４の遠位端から伸びるボール３６を備える。ボール３６は、リンク４４の凹の近位表面と協同するように寸法決めされ、それによって、ボール３６に対する、ボールおよびソケット型のリンクの三次元の間接（従って、アーム１２および作用末端１４）が可能になる。ボール３６はまた、架台本体２２に対するアーム１２の下向きの角度をさらに容易にするかまたは必要に応じて制御し、それによって、図６で図示されるように、アームを下向きに、かつ開創器の輪郭および手術的開口部の周辺に沿って配置することを容易にするためにスロット３６ｓをつけられてもよい。スロット３６ｓは、図５に図示されるように、その遠位末端で、湾曲３６ｃを設けられてもよい。スロット３６ｓの近位端の湾曲３６ｃは、アーム１２が、ボール３６／ディスク部材３４に対して下向きに旋回されたとき、それに対するケーブルの屈曲および締め付けを容易にして、アーム１２の異なる角度位置でケーブルの長さ／張力の変動を排除または減少することを補助する。さらに、潤滑性スリーブ４６ｓ（ポリテトラフルオロエチレンからできるものなど）または潤滑性コーティングを、ケーブル４６上に設けて、図８に図示されるように、スライドすることを容易にして摩擦を低下することを補助してもよい。
【０１９６】
図９は、接合部材３０の別の実施形態を図示しており、ここでは、ボール３６は、ディスク部材３４に対して回転性に取り付けられる。必要に応じて、戻り止めまたはラチェット歯４８が、ディスク部材３４に対して、ボール３６の回転位置のラチェット様の調節を可能にするために設けられてもよい。
【０１９７】
図１０は、ボール３６の別の代替的実施形態を図示しており、ここではボール３６に、お互いと垂直に形成される２つの交差するスロット３６ｓ１、３６ｓ２が設けられる。さらに別方法では、３つ以上の交差するスロット３６ｓが提供され得る。前の実施形態と同様に、ボール３６はディスク部材３４に固定されてもよいし、またはディスク部材３４に対して回転性に取り付けられてもよい。必要に応じて、戻り止めまたはラチェット歯４８を設けて、ディスク部材３４に対して、ボール３６の回転位置のラチェット様調節を可能にしてもよい。
【０１９８】
図１１は、アクチュエータ（示さず）が、架台本体２２に対してディスク３４を駆動するように作動され、それによって、本体２２に対してディスク３４の角度位置をロックする実施形態を示す。さらに、ボール３６は、ディスク３４の方向の面に対して下向きに角度を付けられる、すなわち、角度３９を参照のこと。なお、上記および下記の任意の他のボール３６は別法では、ディスク３４の平面に対して下向きに角度を付けられた配向で位置決めされてもよい。
【０１９９】
図１２は、図１１の実施形態の断面図であって、ただしアクチュエータ５２をさらに示す。アクチュエータ５２は、本体２２に対して締め付けられる（中のネジ機構に対して回転することによって）ので、これは、ディスク３４を本体２２に対して駆動し、そして同時に、ボール３６、４２およびリンク／ディスク部材４４を一緒に引っ張り、アーム１２およびディスク３４とハウジング２２との間の接合部を締め付ける。
【０２００】
図１３Ａ〜１３Ｂは、図１３ＡのラインＡ−Ａに沿ってとった側面図および上断面図を図示しており、ここでは架台本体２２が、その末端部分に設けられ、ここには複数の水平におよび半径方向に分布されたスカラップまたは戻り止め５４があり、各々がアーム１２または１０１２の最も近位のボール４２を受容するように構成され寸法決めされる。ケーブル４６を通じて張力を加える際に、これは、最も近位のボール４２を、レセプタクル／スカラップ／戻り止め５４を有するロック式係合中に引き込み、ここでこれが位置決めされる。張力のさらなる適用によって、既に記載のとおりアーム１２、１０１２がロックされる。ケーブル４６から張力を取り除き、ケーブル４６を十分に長くして／緩める際に、最も近位のボール４２は、図１３Ｂの想像線に示されるように、スカラップ５４の１つにあるその現在位置から手動で取り外されて、別のスカラップ５４によって受容される所望の位置に動かされてもよい。従って最も近位のボール４２を、任意のスカラップに配置し（次にロックし）てもよく、それによって、図１３Ｂの角度５７によって図示されるように、架台本体２２の縦方向の軸に対して水平面にアーム１２、１０１２を角度付けする能力を与えることができる。
【０２０１】
図１４は、接合部材３０および取り付け機構２０の実施形態を図示しており、ここでは、ノッチまたはスロット６６が架台本体に提供され、ボール３６（あるいはディスク部材２４）は、ディスク部材３４が架台本体２２に対して旋回するにつれて、ノッチまたは溝６６中でスライドする、ある機構（リップ、中子またはフィンガー）６８を設けられる。アクチュエータ５２を用いて、ケーブル４６上で引き抜くことによって、接合部材３０、アーム１２および作用部材１４をロックダウンする際に、機構６８は、ディスク部材３４が持ち上がることを妨げる、スロット６６の上面に対して隣接する。ピン３５は、図１４に示され、そしてディスク部材がそれに対して旋回する機構である。スプリング７０が、スロット７０ｓ中に設けられる。スプリング７０は、ケーブル４６で張力が解放されるとき、架台本体２２との接触からディスク部材３４の近位端を分けるために十分なスプリング力を有する。
【０２０２】
図１５は、スロット３６ａ１、３６ｓ２および３６ｓ３が接合してＹ形状を形成する、三スロットの構成を有するボール３６の実施形態を例示する。
【０２０３】
図１６Ａ〜１６Ｂは、接合部材３０の実施形態を図示しており、ここでは、ボール３６にスロット３６ｓが提供され、架台本体２２の遠位端に対して回転性に取り付けられる。この方法では、接合部材３０は、ディスク部材３４およびボール３６を備える、以前に記載された接合部材３０と同様の機能を提供する。この機能は、ボール３６が、回転され得るという点で同様であり（図１６Ｂの曲がった矢印を参照のこと）、これによって次に、スロット３６ｓが図１６Ｃのように水平に配向されるときアーム１２の水平の回転または旋回が可能になる。
【０２０４】
図１７は、アーム１２およびアクチュエータ５２の両方が、取り付け機構２０に対して角度的に可動である実施形態を示す。これに関して、接合部７２は、取り付け機構２０に対してアクチュエータノブ５２の少なくとも下向きの角度付を可能にするように設けられる。本明細書に記載される任意の接合部材３０は、取り付け機構に対するアーム１２の角度付を可能にするように設けられ得る。アクチュエータの角度の動きを可能にすることによって、これによって、ユーザーは、アクチュエータ５２を動かして、手術上の空間３にアクセスしようと試みている外科医または他の人に対する障害物を減らすことが可能になる。図１７に示されるように、下向きに動かされるとき、これは縫合糸または他の装備をとらえる可能性も低い。
【０２０５】
図１８は、スロット付きボール３６が架台本体２２中に組み込まれた実施形態を図示する。これは、製造に必要な部品数を減らすが、ケーブル４６が締め付けられるとき、架台本体２２に対してアーム１２の相対的な旋回性位置を維持するのには効果的ではないかもしれない。必要に応じてスカラップ７４が、ボール３６のスロットを付けられた部分３６ｓに設けられ、張力が与えられる場合、ケーブル４６の傾向を軽減して、本体２２に対してアーム１２をまっすぐにし得る。
【０２０６】
図１９は、図１６Ａ〜図１６Ｃの実施形態と同様の接合部材３０の実施形態を図示するが、ここではボール３６は、ボール３６を通じた経路を規定する貫通穴のような開口部３６ｐを設けられ、これがケーブル４６を末端３６ｐ１で本体２２の縦方向の軸と実質的に整列する方向から、末端３６ｐ２で本体２２の縦方向の軸に対してある角度を形成する方向までガイドする。示される実施例では、その角度は、約９０度である。しかし、この角度は、変化してもよく、そして約７５度から約１３５度、さらに典型的には約８０度から約１１０度の範囲で選択され得る。クロスピン３７、例えば、ステンレス鋼ピンが、３６ｐのガイド通路の支持を補助し、摩耗の軽減を補助するために設けられてもよい。ピン３７はケーブルが屈曲する位置を提供する。ピン３７は、ケーブル４６が屈曲３６ｐにまたがって高張力で引っ張られるとき、高抵抗（摩擦）力に耐える金属構成要素として設けられる。ピン３７は、圧入によって、および／または接着剤もしくは他の固定剤を用いて、構成要素３６を通じて交差してピン止めされる。ボール３６はさらに、スロット３６ｓを設けられ、そして架台本体２２の遠位端に対して回転性に取り付けられる。この方法では、接合部材３０は、ディスク部材３４およびボール３６を備える、以前に記載される接合部材３０に同様の機能を提供する。この機能は、ボール３６が回転され得、これによって次に、水平面に対してアーム１２の角度位置の変化が可能になるという点で同様である。また、剛性の挿入の成形された湾曲チューブが、構成要素の摩耗を防ぐかまたは軽減するためにケーブルの周囲に設けられてもよい。なぜならこのチューブは、他の構成要素に対してスライドするので、ケーブルよりも摩擦抵抗が少ないからである。
【０２０７】
図２０Ａは、スタビライザー器具の実施形態を例示しており、ここでは、取り付け機構２０の固定部分に対するアーム１２および作用末端の旋回運動が、この取り付け機構２０の頂部に対して回転性に取り付けられたタレット３０ｔによって提供される。この実施形態のアクチュエータ５２’は、ケーブル４６の急速な張力発揮（また張力の急速な解放も）のためのカム機構を有するように構成されるレバーを備える。作用部分１４の接触部材１６は、接触部材１６を支持し、それらをアーム１２に対してシャフト１７’および前に記載のようなボール接合機構を介して連結するために用いられるシャフト１７によりそれらの長さの中間で支持される。接触部材１６に対するシャフト１７の中間の接続は、安定化されるべき標的の手術部位に近い安定化ポイントに置く。
【０２０８】
図２０Ｂは、図２０Ａのデバイス１０の部分的な縦方向の断面図であって、これは取り付け機構２０およびタレット３０ｔを通じてケーブル４６の通路を示す。タレット３０ｔの中心３０ｃを通じてケーブルが伸びるので、これによって、タレットは締め付けの間に取り付け機構２０に対してその回転位置を維持することが可能になる。図２０Ｃは、アクチュエータレバー５２’が、ケーブル４６を締め付けるために多くの異なる角度で作動され得ることを図示する。
【０２０９】
図２１は、接合部材であって、タレット３０ｔを用いるが、このタレット３０ｔが、ディスク部材３４およびボール３６で形成されている、接合部材を図示する。ディスク部材３４は、スロットを付けられた３４ｓであり、かつボール３６は、スロットを付けられた３６ｓである。タレット３０ｔは、架台本体２２の遠位端と結びついて、架台本体２２に対するタレット３０ｔの別個の漸増的な回転のためであり、かつ架台本体２２に対してタレット３０ｔの現在の角度位置を維持することを補助する戻り止め３４ｄを設けられる。ペグなどのような旋回構成要素３４ｐが固定架台２８のスロット２８ｓ中に挿入され、これは、タレット３０ｔが固定架台２８および架台本体２２に対して回転することを可能にして、またケーブル４６がタレット３０ｔを引き込んで架台本体２２の遠位表面２４と接触し、タレット３０ｔを架台本体２２に対して押し付けて、架台本体２２に対するタレット３０ｔの回転を妨げることも可能にする。  
【０２１０】
図２２は、臓器ポジショナー器具１００として構成された手術器具を、本発明のある実施形態によって示す。ポジショナー器具１００は、胸骨開創器、手術台などのような、相対的に固定された物体に対してポジショナー器具１００を取り付けるために構成された取り付け機構１２０を備える。図２４では、ポジショナー器具１００は、胸骨開創器２００のレール２０２に取り付けられる。
【０２１１】
ポジショナー器具１００はさらに、架台本体１２２の遠位端１２４に対して枢動可能に連結され、それから遠位に伸びるアーム１１２を備える。架台本体１２２の上面１２６は、平滑であって、そのため縫合糸、手術用手袋または平滑でない表面上に捕えられやすい任意の他の物体を捕えることがない。さらにこの円滑な表面は、例えば、縫合または他の手順工程の間に手を置いておくことを補助するために、手または指を休めるために外科医によって用いられ得る。アーム１１２は、架台本体１２２の遠位端１２４から伸びるのであって、上面1２６からではないので、これによって、アームが架台本体の頂部から伸びる設計よりも、患者１の胸部開口部２および胸骨開創器２００の高さに対して低位の形状が得られる。これによって、外科的な作業空間３に接近するように試みる外科医またはその他の何者かに対して邪魔が少ない（装着機構の上面に対してアームが装着されている、先行技術のスタビライザー器具と比べて）器具が得られる。
【０２１２】
ポジショナー器具１００はさらに、アーム１１２の遠位端部分に取り付けられた作用末端１１４を備える。ポジショナー器具１００の作用末端１１４は、少なくとも１つの接触部材１１６を備える。単独の接触部材１１６が、図２２に示される実施形態で提供されるが、複数の接触部材１１６が別々に提供され得る。コンプライアント接合部１１８が、接触部材１１６の限られた範囲の動きを可能にしたままで、硬質な構造に対して接触部材１１６を取り付けるために設けられる。接触部材１１６は、吸引部材であって、これは、この吸引部材を通じた陰圧の適用によって臓器に結合してこの臓器を係合するように構成されており、ここではこの係合された臓器を動かしてそれを移動された方向に維持するために十分な強度がある。一実施形態では、これは、心臓の心尖を持ち上げた、吊るした、方向で維持することを包含する。図２２〜２３の吸引部材１１６は、カップ１５１、カップ１５１に固定して装着された中空シャフト１５３、およびフィッティング１５７（シャフト１５３に対して吸引ライン１６２を装着するため）を備える。シャフト１５３は、カップ１５１の中央の長軸に対して平行な軸に沿って配向される。適合シール２５２は、カップ１５１の遠位表面に取り付けられる。シール２５２は、カップ１５１を通じて真空が与えられる場合、心臓（または他の臓器）とのシールを形成し、シール２５２は、臓器と接触して置かれる。必要に応じて、フィルター１５５、例えば、泡フィルター、スクリーンなどがカップ１５１内でフィットされて（例えば、摩擦フィット、一体成型および／または接着剤または他の機構もしくは化学的手段によって）、臓器組織が、カップ１５１の内側領域中に実質的に吸引されることを妨げる。カップ１５１の凹の内面はさらに、必要に応じて、軟性でかつ吸収性の材料（好ましくは、不織のレーヨンまたはビスコース織物だが、そうでなければ、別の材料、例えば、ガーゼまたは神経−スポンジで現在用いられる種類の材料）で内側を覆われてもよい。吸収材料は好ましくは、カップと臓器との間の牽引を有意に改善するために十分な血液および／または他の体液を吸収できて、好ましくはまた、臓器に対して部材１５１によって発揮される吸引力を拡散するように機能する（もし存在するならフィルター１５５と一緒に）。
【０２１３】
適合シール２５２は好ましくは、いくつかの開口セル（シール２５２を通じた空気のゆっくりした流れを制御するため）を有する生体適合性の発泡体からできており、いくつかは閉じたセルを有する（臓器と接触するように設計された表面である、シール２５２の遠位表面上で「スキン／皮膚」を規定するセルを含む）。閉じたセルに対する開口セルのサイズおよび比は、１５１で与えられる真空の所定値で吸引力（臓器または組織に対して係合されたシール２５２のスキンによる）を保持して保持し続けるために、空気がシール２５２を通じて動く速度を管理する。注記のとおり、スキンは特に平滑であり、その結果、臓器／組織の表面と接触した場合、それとシールを形成し、このシールは気密であり、漏れて与えられた真空の値を減らすことはない。
【０２１４】
コンプライアント接合部１１８は、アーム１１２の遠位端に装着される。この接続は、図３〜４のスタビライザーの実施形態で上記の構成要素４３、４７、５８、６０および５６ｓに対して上記と同じ方式で形成され得る。別の接続が、上記で援用された特許に記載されるように置き換えられてもよい。他の別の接続、および置き換えられ得る別の吸引部材は、それに対する参照によって、その各々が本明細書において、その全体として援用される、米国特許第６，０１９，７２２号；同第６，３３８，７１２号；同第６，３６１，４９３号；同第６，３９０，９７６号；同第６，５０６，１４９号；同第６，６１０，００８号；同第６，７３０，０２０号；同第６，９６９，３４９号；同第６，７０５，９８８号；同第６，７２６，６２２号；同第６，７４３，１７０号；同第６，８９９，６７０号；同第７，１７９，２２４号；同第７，１９５，５９１号；同第７，２２６，４０９号；同第７，３７７，８９５号；同第７，４０４，７９２号；同第７，４７６，１９６号；同第７，４７６，１９９号；同第７，４７９，１０４号に見出され得る。
【０２１５】
アーム１１２は、上記で考察されるアーム１２と同じ方式で作製されてもよいが、部材１４０および１４２は、対応する部材４０および４２よりも小さい断面寸法を有し得る。あるいは、可塑性の構成を有しており、硬質な構成に作動され得る任意のアームが用いられてもよく、これには、参照によって本明細書に援用される任意の特許に記載される任意のアームが挙げられる。取り付け機構１２０は、ポジショナー１００を、胸骨開創器または他の固定物のような静置物に対して固定するために設けられる。
【０２１６】
フォーク１６５は、ポストを介してボール５６ｂに固定されるか、またはボール５６ｂおよびポストと一体に作製される。ボール５６ｂは、ケーブル４６が張力を解放され、かつアーム１１２が可塑性状態であるとき、ソケット５６ｓに対して自由に回転する。回転に対するこの自由度は、ボールおよびソケットの配置によって設けられる三次元の自由度である。ローラー１６４は、フォーム１６５の枝歯の間に回転性に取り付けられ、そして、それに対して自由に回転する。ローラー１６４は中央チャネル１６４ｃを規定し、そして接触部材１１４のシャフト１５３は、図２２に示されるようにチャネル１６４ｃを通じて伸びる。好ましくは、スプリング１５６は、フィッティング１５７とローラー１６４との間でシャフト１５３のまわりに配置される。スプリング１５６は、フィッティング１５７およびローラー１６４によって、そのスプリングに対して発揮された力によって圧縮される。
【０２１７】
心拍動下心臓手術の間、図２２のポジショナー１００は以下のように機能する。作用部分１１４は、拍動中の心臓の表面に対して吸引ライン１６２、フィッティング１５７、シャフト１５３およびカップ１５１を通じて発揮される吸引力によって固定して装着され、それによって、作用部分１１４を係合し、その結果、カップ１５１が拍動する心臓を有するユニットとして動く。心臓の重量によって、シャフト１５３（およびカップ１５１の全体）およびローラー１６４は、フォーク１６５に対するユニットとして回転させられる。シャフト１５３およびローラー１６４は、フォーク１６５に対して記載されるとおり回転するので、フォーク１６５は典型的にはまた、ソケット５６ｓに対しても回転する。ある実施では、このデバイスは、ソケット５６ｓに対するフォーク１６５の回転が吸引部材１５１の全体的な操作の間にのみ生じるように（心臓は吸引部材に対する吸引によってカップリングされる）実施される。さらに、シャフト１５３およびカップ１５１は、拍動する心臓の表面で１ユニットとして実質的に垂直に振動するので、シャフト１５３は、ローラー１６４に対して（ローラー１６４の中央チャネル１６４ｃを通じて）スライドする（ローラー１６４の垂直位置がフォーク１６５によって固定されるので）。
【０２１８】
スプリング１５６は、以下の方式で、ローラー１６４に対してシャフト１５３の振動運動を弱める。シャフト１５３は、ローラー１６４に対して垂直に下向きにスライドするので、スプリング１５６は、圧縮される（シャフト１５３の運動エネルギーのある程度を位置エネルギーに変換する）。次いで、シャフト１５３が、ローラー１６４に対して垂直に上向きにスライドするにつれて、スプリング１５６は弛緩し（長くなり）その平衡位置に戻る（スプリングにためられる位置エネルギーのいくつかは、シャフト１５３の運動エネルギーに変換されるので、心臓表面を上向きに引っ張ることを補助する）。必要に応じて、フォーク１６５は、２つの位置、すなわち、シャフト１５３がローラー１６４に対して移動することを妨げない第一の位置、およびローラー１６４に対するシャフト１５３の移動を妨げる第二の（ロック）位置の間で手動で回転され得る旋回運動ラッチ（示していない、米国特許第６，５０６，１４９号、図３０およびその説明を参照のこと）を備え得る。
【０２１９】
架台本体１２２は、その遠位端１２４が胸骨開創器２００の内面２００ｉと、特に胸骨開創器のアーム／ブレード２０４の内面と実質的に同一平面であるように構成され、かつ寸法決めされる。あるいは、遠位端１２４は、内面２００ｉをわずかに超えるか／内側に延びる、または内面２００ｉより末端わずかに前か／外側で終端してもよい。いかなる場合でも、ポジショナー器具１００は、図２４に示されるようにレール２０２に固定され、架台本体２０の遠位端１２４は、手術の作業空間３には実質的に伸びず、従って、現在利用可能な外科用スタビライザーよりも形成される障害物が少ない。さらに、アーム１１２を接合する接合部材１３０によって、内面２００ｉに極めて近く配置できる能力がアーム１１２にもたらされる。従って、本明細書に記載のように、スタビライザー器具１０およびポジショナー器具１００は両方とも、そのそれぞれそのアーム１２および１１２が、作業空間の周辺に沿っていき、図２４に示されるように、それによって、外科医に利用可能な邪魔にならない作業空間３の大きさがますます増えるように配向される。接合部材１３０はさらに、アーム１１２が内面２００ｉと接触して配向されることを可能にさえする。詳細には、位置決めの架台本体の角度は、接合部材１３０の（またはスロット３６ｓを有するボール３６の）旋回運動に起因する可能性がある。旋回接合部材１３０によって創出されるこれらの角度は実質的に、交互式のボール接合部１４２’’によって創出される角度よりも小さい。
【０２２０】
接合部材１３０は、架台本体１２２に対してその遠位端部分で枢動可能に取り付けられ、その結果、接合部材１３０の遠位端に接合されるアーム１１２が、架台本体１２２の遠位端１２４から伸びる。アーム１１２は、アーム１１２が第一の構成では可塑性であることを可能にするが、アーム１１２が第二の構成では実質的に剛性になるように圧縮され得る、複数の関節接合性のリンク１４０を備える。図２２〜２３に示される実施形態では、リンク１４０は、米国特許第６，５０６，１４９号に詳細に記載されるように交互のボール接合部１４２および両凹面のディスク１４４を備える。あるいは、リンク１４０は、例えば、一連のボール接合部、一連の接合部（１つの凸側および１つの凹側を有する）、または米国特許第６，５０６，１４９号に記載の任意の他の実施形態、もしくは米国特許第６，７５８，８０８号に記載の任意の実施形態を備えてもよい（ただし、別法では、これらの例に限定されない）。
【０２２１】
各々のリンク１４０は、それを通じる中央チャネルを備え、このチャネルは、両端で細くなっており、ケーブル４６（図２３の分解図を参照のこと）がそのチャネルを円滑にかつ容易に（このアームの硬質状態での剛性を改善するため）通過することを可能にし得る。ケーブル４６は、リンク１４０、接合部材１３０、架台本体１２２を通って伸びて、作動機構５０の近位に接続し、かつ接合部５６をロックするかまたはロックしないように構成された機構に対して遠位に接続する。最も遠位の関節接合性の部材４３は、アーム１１２の遠位端で、関節接合性の部材４３の遠位端に対して開口しており、カップリング部材５８、４７および６０を少なくとも部分的に受容するように適合される空洞を備える。ソケット部材５６ｓは、ポジショナーアーム１１２の遠位端をキャップして、ポジショナーを通る張力ケーブル４６と呼応して、カップリング部材５８、４７および６０を介して最も遠位の関節接合性の部材４３と対になる。
【０２２２】
ケーブル４６の近位端は、それぞれ、ケーブル４６の近位端部分を近位に引き出すこと、またはそれを架台本体１２２に対して遠位に動かすことによって、ケーブル４６中の張力を増大するかまたは減少するように構成される作動機構に連結される。張力の増大または減少は、図２２〜２３に示される、ノブのようなアクチュエータ１５２によって作動される。機構５０の作動についてのさらなる詳細およびこのような機構の別の実施形態は、例えば、米国特許第６，７５８，８０８号および上記の引用文献によって援用される他の特許に見出され得る。本発明は、同じ機能を提供する他の機構が置換され得るので、図２３に示される機構５０には限定されないものとする。
【０２２３】
図２２〜２３に示される実施形態では、作用末端１１４は、位置決めされるか操作されるべき組織の表面に対して吸引力（陰圧）を与えて、カップ１５１が組織を係合するように構成される吸引カップ１５１を備える。吸引カップ１５１は、陰圧の供給源と液体連絡して連結されるべき真空チューブ１６２（これは、その近位端で構成される）と液体連絡される。真空チューブ１６２の近位端に設けられるコネクタ１６４は、色分けされ（例えば、黄色、またはいくつかの他の別個の色に色分けされ）てもよく、その結果、ユーザーは、この真空チューブ１６２を、真空チューブ６２または他の真空チューブ（この手順の間に用いられ得る）から視覚的に容易に識別できる。ポジショナー１００に用いられる陰圧の大きさは、スタビライザー１０を通して与えられる陰圧の大きさとは有意に異なる場合があるので、識別することは重要である。
【０２２４】
接合部材１３０は、図２２におよび図２５の部分的な縦方向の断面図に図示されるように、取り付け機構１２０に対して枢動可能に取り付けられたディスク部材１３４によって形成される自在軸受けまたは旋回接合部１３２を備える。自在軸受け接合部１３２によって提供される旋回運動によってスタビライザーアーム１１２は、外れて旋回することが可能になり、その結果このアームは、手術の作業空間３中に突出することはない。図２５に図示されるように、アーム１１２は、架台本体１２２に対してディスク部材１３４を旋回させることによって、旋回され得、その結果、アーム１１２は、開創器２００ｉの内面に近接するかまたは接触さえして、それによりアーム１１２は、手術の作業空間３の外周の輪郭に沿うように調節され得る。
【０２２５】
ディスク部材１３４は、その近位部分を通じてスロット付けされ１３４ｓ、ここではスロット１３４ｓは通常は、ディスク部材１３４の末梢の少なくとも約１２０度、さらに典型的には、図２６に示される少なくとも約１５０度を通じて掃引して、ディスク部材1３４の中心に伸びる。スロット１３４ｓは、架台本体１２２に対してディスク部材１３４の自在軸受け位置を維持しながら、ケーブル４６が張力を受けることを可能にする。
【０２２６】
図２６は、図２５の部分的な断面図をとった面に直角の面でとった部分的な縦断面図の、スロット１３４ｓの上面図である。スロットの遠位端の湾曲３４ｃは、ディスク部材１３４が旋回されたとき、スロットに対するケーブル４６の屈曲および締め付けを容易にし、ディスク部材１３４の異なる角度位置でケーブルの長さ／張力の変動を排除または減少することを補助する。
【０２２７】
さらに、接合部材１３０は、図２５〜図２６に示されるような、ディスク部材１３４の遠位端から伸びるボール１３６を備える。ボール１３６は、リンク１４４の凹の近位の表面と協同するように寸法決めされ、それによってボール１３６に対する、ボールおよびソケット型のリンクの三次元の間接（従って、アーム１１２および作用末端１１４）が可能になる。ボール１３６はまた、架台本体１２２に対するアーム１１２の下向きの角度付けをさらに容易にし、それによって、図２４で図示されるように、アームを下向きに、かつ開創器の輪郭および手術的開口部の周辺に沿って配置することを容易にするためにスロット付けされてもよい１３６ｓ。スロット１３６ｓは、その近位末端で、湾曲を設けられてもよい。スロット１３６ｓの近位端の湾曲は、アーム１１２が、ボール１３６／ディスク部材１３４に対して下向きに旋回されたとき、その湾曲に対するケーブルの屈曲および締め付けを容易にして、アーム１１２の異なる角度位置でケーブルの長さ／張力の変動を排除または減少することを補助する。さらに、潤滑性スリーブ４６ｓ（ポリテトラフルオロエチレンからできるものなど）または潤滑性コーティングを、ケーブル４６上に設けて、スライドすることを容易にして摩擦を低下することを補助してもよい。
【０２２８】
ボール１３６の他のバリエーションが提供されてもよく、これには限定するものではないが、上記のボール３６のバリエーションが挙げられる。同様に、ディスク部材１３４の別の実施形態が、上記のディスク部材３４の別の実施形態と同様に提供され得る。
【０２２９】
図２７は、本発明の実施形態による取り付け機構２０の詳細を示す部分的な図である。なお、これらの詳細は、スタビライザー器具１０（例えば図３〜４において示される）のための取り付け機構２０に対して記載されるが、同じ機構が用いられ得るので、この詳細は、本発明の実施形態によるポジショナー器具の取り付け機構１２０に対して等しくあてはまる（例えば、図２２〜２３に示される）。
【０２３０】
固定物に対して機構を固定するために、レバーおよびカムを用いて、固定ジョーに対して機構をクランプするという可動式ジョーを前進させる従来のロック機構とは異なり、レバーは可動式ジョーの底面で同一平面であるか、またはレバーの底面が可動式ジョーの上面の下であり、図２７に示される本発明の実施形態の取り付け機構アクチュエータ（例えば、レバーなど）８０は、架台本体２２（または１２２）にスライド可能に取り付けられて、その結果、取り付け機構アクチュエータ８０の全体を、可動式ジョー８２の上面８２ｕの上に配置して、作用機構がハウジングおよびジョー中に配備される。この配置によって、取り付け機構２０が例えば、胸骨開創器に固定される場合、アクチュエータ８０は患者の皮膚の上に持ち上がり、それによって、アクチュエータ８０が作動されるにつれ（この機構を開創器に固定するかそれから取り外すかにかかわらず）、アクチュエータ機構中の患者の皮膚を圧迫する機会は大きく減る。また、カム機構は、可動式ジョー８２内に隠され、その結果、カム機構が使用中に患者の組織を掴むまたは握るという危険性はない。また、この機構は、現行のデバイスに対して、取り付けのための低位の形状を可能にするように設計され、従って、スタビライザーまたはポジショナーが、術野および外科医によって用いられる隣接領域に対して障害物が少ない。取り付け機構２０のいくつかの構成要素は、金属から形成されて、取り付け機構の形状をさらに小さくする。例えば、アクチュエータのレバー８０ａ部分、カム８１（図２８Ｃ）および必要に応じて、アクチュエータのレバーグリップ部分８０ｂは、ポリマーからこれらの構成要素の１つ以上を作製する先行技術の設計に比較して取り付け機構のよりコンパクトな構成をもたらすために金属からできている。
【０２３１】
さらに、アクチュエータレベルが、開創器に対してこの機構を固定するために遠位に回転される従来の取り付け機構とは異なり、本発明のアクチュエータ８０は、開創器に対して取り付け機構２０（または１２０）を固定またはロックするために近位に（すなわち、ユーザーに向かって）引きこまれる。人間工学的に、これによって、胸骨開創器に対して器具１００または１０をユーザーがロックすることがより容易になる。なぜなら近位の回転は、行うことが容易であり、かつ一般には片手で行われ得るからである（片手を使って本体２２を保持して引っ張ることは容易であるが、同じ手を使って本体を保持して押すことは困難であるため、レバーの遠位の回転をこの機構に固定するために必要である機構を固定するためには両手がいる場合が多い）。また、従来の機構では、レバーは、取り付け機構が開創器に固定される場合、この取り付け機構から外側に伸びて、開創器のレールに沿って伸び、それによって別の器具がその機構の近くに装着されることを妨げる。しかし、本発明では、アクチュエータ８０は、ロックされた位置で近位に引っ込んで、そして取り付け機構２０、１２０で引き締められる。図２８Ａを参照のこと。これによって、現在利用可能な機構で可能であるものに対して、開創器のレール上で取り付け機構２０、１２０にかなり近位で別の器具の配置が可能になる。
【０２３２】
図２８Ｂは、胸骨開創器のような固定物上の取り付け機構の最初の配置、または固定物からの取り付け機構の除去を可能にする、ロックされていない構成中のアクチュエータ８０を図示している。図２８Ｃは、２８Ｃ−２８Ｃのラインに沿ってとった図２８Ａの断面図であり、ロックされた構成で取り付け機構２０、１２０を示している。可動式ジョー８２は、コイルスプリングまたは他の付勢部材のような付勢部材８８によって、固定ジョー８４に向かって付勢される。従って、取り付け機構２０、１２０がレール２０２上に配置される場合、レール２０２は、付勢部材８８によってこの位置に付勢されるにつれて、ジョー８４、８２によって反対側に接触される。アクチュエータ８０を近位に引き出すことによって、アクチュエータ８０にリンクするカム８１は、回転されて、内部ジョー構成要素８２ａを可動式ジョー８２中で上向きに引き出して内部ジョー構成要素歯８２ｃを上の歯８４ｃに対して係合し、それによって可動式ジョー８２を固定ジョー８４に対してロックし、取り付け機構２０、１２０をクランプされた位置でレール２０２に対してロックする。従って、機構２０、１２０は、レール２０２に対して器具１０、１０００をしっかり保持して、アームまたは手術器具の動きを妨げることを補助する。
【０２３３】
図２８Ｄは、２８Ｄ−２８Ｄのラインに沿ってとった図２８Ｂの断面図であり、取り付け機構２０、１２０は、レール２０２から取り外されるように（または、取り付け機構２０、１２０を、それをクランプおよびロックする前にレール上に配置することを容易にするために）、取り付け機構２０、１２０をロックされてない機構で示しており、可動式ジョーは逆戻りさせている。アクチュエータ８０を遠位に押すことによって、カム８１は反対方向に回転し、それによって、歯８２ｃは歯８４ｃとの接触から離され、可動式ジョー８２が固定されたジョー８４およびレール２０２から離れるように動き、レール２０２に対するジョー８２、８４の間の十分な隙間が得られて、取り付け機構２０、１２０がレール２０２から持ち上げられることが可能になる。アクチュエータ８０の押す動きによって、ユーザーは、器具をロックせずに手術部位から取り外すのに必要な労力が減る。可動式ジョーに対するカムの操作についてのさらなる詳細は、米国特許第６，６８５，６３２号に見ることができる。固定されたジョー８４に向かって可動式ジョー８２を付勢するスプリング８８が設けられる。レール２０２の上にジョー８２、８４を最初に置くために、ユーザーは、機構２０、１２０の固定部分（ジョー８４または他の固定部分）を保持してジョーを広げて離しながら、ショー８２を引っ込める。一旦、ジョーが、上のレールフランジを通過すれば、ジョー８２は、解放され得、そしてスプリング８８は、ジョー８２をジョー８４に向かって動かし、このジョーをレール２０２と側方接触させる。
【０２３４】
図２９Ａ〜２９Ｂは、それぞれアクチュエータ５２の側面図および端面図を示す。アクチュエータ５２は、そのフィン５２ｆの少なくとも１つで提供される、クリップ５２ｃを設けられる。示される実施形態では、クリップ５２ｃは、フィン５２ｆの各々で形成される。あるいは、フィン５２ｆの１つまたは２つだけが、クリップ５２ｃを設けられてもよい。各々のクリップ５２ｃは、吸引チューブ６２を受容し、かつ一時的にまたは可逆的に保持して、この吸引チューブを、それが器具１０／アーム１２の形状に沿っていくにつれ、低位の形状で維持することを補助するように構成される。例えば、図３を参照のこと。クリップ５２ｃの開口部５２ｏは、チューブ６２の外径よりもわずかに小さい直径を有する。従って、このチューブ６２は、クリップ５２ｃの開口部５２ｏを通じてこのチューブを挿入するために、つままれるかまたは変形されなければならない。
【０２３５】
別法では、またはクリップ５２ｃの一次的保持チューブ６２に加えて、図２９Ｃに示されるように、チューブは、架台本体２２に設けられる凹部分２２ｃ中に一時的に保持され得る。凹部分２２ｃは、吸引チューブ６２を受容して一時的に保持し、この吸引チューブを、それが器具１０／アーム１２の形状に沿っていくにつれ、低位の形状で維持することを補助するように構成される。例えば、図２９Ｃを参照のこと。凹部分２２ｃの開口部は、チューブ６２の外径よりもわずかに小さい直径を有する。従って、このチューブ６２は、チューブに力を加えて凹部分２２ｃの外側に引き戻すまでは、凹部分２２ｃに一旦挿入されれば凹部分２２ｃ中にチューブを保持するように、凹部分２２ｃの開口部を通じてこのチューブを挿入するためにつままれるかまたは変形されなければならない。
【０２３６】
好ましくは、チューブ６２は、軟性で、可塑性で補強されたチューブである。しかし、クリップ５２ｃの本体の内部５２ｂは、チューブ６２の外径よりもわずかに小さい内径を有し、圧縮を比較的わずかに保持しながらチューブ６２を把持する。従って、このチューブ６２は、軟性のグリップによって空間５２ｂ中の適所に保持され、そしてクリップ５２ｃの開口部５２ｏは、この器具の使用の間にクリップからチューブ（配管）６２が逃げないようにする。なぜならチューブを再度取り除いて、チューブを開口部５２ｏに再配置できるようにするには操作者の介入が必要であるからである。
【０２３７】
図３０Ａ〜３０Ｂは、アクチュエータ１５２のそれぞれ側面図および端面図を示す。アクチュエータ１５２は、そのフィン１５２ｆの少なくとも１つに設けられるクリップ１５２ｃを設けられる。示される実施形態では、クリップ１５２ｃは、フィン１５２ｆの各々で形成される。あるいは、少数または１つだけのフィン１５２ｆにクリップ１５２ｃが設けられてもよい。各々のクリップ１５２ｃは、吸引チューブ１６２を受容して一時的に保持し、この吸引チューブ１６２を、それが器具１００／アーム１１２の形状に沿っていくにつれ、低位の形状で維持することを補助するように構成される。例えば、図２２を参照のこと。クリップ１５２ｃの開口部１５２ｏは、チューブ１６２の外径よりもわずかに小さい直径を有する。従って、このチューブ１６２は、クリップ１５２ｃの開口部１５２ｏを通じてそのチューブを挿入するために、つままれるかまたは変形されなければならない。しかし、クリップ１５２ｃの本体の内部１５２ｂは、チューブ１６２の外径よりもわずかに小さい内径を有して、チューブ１６２を把持するが、重なってチューブ１６２を締め付けることはない。従って、チューブ１６２は、軟性のグリップによって空間１５２ｂ中の適所に保持され、そしてクリップ１５２ｃの開口部１５２ｏは、この器具の使用の間にクリップからチューブ（配管）１６２が逃げないようにする。なぜならチューブを取り外して、チューブを開口部１５２ｏに再配置できるようにするには操作者の介入が必要であるからである。
【０２３８】
別法では、またはクリップ１５２ｃの一次的保持チューブ６２に加えて、チューブは、架台本体１２２に設けられる凹部分中に一時的に保持され得る。架台本体１２２の凹部分は、図２９Ｃに示され、上記される凹部分２２ｃと同じ方式で構成されてもよく、吸引チューブ６２を受容して一時的に保持し、この吸引チューブを、それが器具１００／アーム１１２の形状に沿っていくにつれ、低位の形状で維持することを補助するように構成される。架台本体１２２は、架台本体２２と同じであるように構築され得ることにさらに注記のこと。
【０２３９】
図３１Ａは、デバイス１０または１００と真空源との間で、真空ライン６２または１６２と液体連絡した、ライン中に配置されるように構成される、キャニスター３００の斜視図である。真空は、真空源４０２または４０４から与えられるので（図３２を参照のこと）、患者１の組織に与えられる吸引力は、作用末端１４、１１４と標的組織との所望の係合を果たすだけでなく、真空チューブ６２、１６２を通じて液体および微粒子を吸引する傾向でもある。これらの液体および微粒子は、チューブ（配管）３０２（図３１Ｂを参照のこと）を通じて引き入れられる。閉鎖末端のキャップ３０４は、チューブ３０２の近位端にかぶさって設けられる。キャップ３０４の内径は、チューブ３０２の外径よりも有意に大きく、そのため、その間で環状のギャップ３０６が形成される。液体および粒子が、チューブ３０２の近位端から出るとき、それらは、キャップ３０４の閉鎖末端を押すか、または単に（より重い物質の場合）、噴水のようにチューブ３０２の側面を溢れる。いずれの場合も、流体中に含まれる液体のほとんど、および流体以外のより大きく、重い粒子、沈殿物が流れて、キャニスター３００によって含まれ、このキャニスター３００は使用中、垂直に配向されるので、キャニスター３００の底の末端部分で重力によって保持される（例えば、図３２を参照のこと）。また、キャップ３０４は、キャニスター３００の側壁上への粒子および流体の溢出および跳ね飛びを妨げ、それによって壁（別法で、内容物の図および内容物のレベルを邪魔する）が汚れることを防ぐ。より軽い流体、例えば、ガスおよび可能性としてはいくつかのより小さい粒子は、流れ続け、チューブ（配管）３０８を溢れ出す。図３１Ｃを参照のこと。
【０２４０】
フィルター３２０は、キャニスター３００と真空源４０２または４０４との間で、キャニスター３００と液体連絡されて、ライン中に設けられる。図３２を参照のこと。従って、いくつかの従来のキャニスターと異なり、フィルター３２０は、キャニスター３００の内側に設けられるのではなく、その上流である。これは、フィルター３２０が、キャニスター中で蓄積される液体によって飽和されることを防ぎ、また、キャニスター３００を変化させる必要なしにフィルター３２０を変化させることを可能にするか、またはフィルター３２０を変化させる必要なしにキャニスター３００を変化または空にすることを可能にする。フィルター３２０は、キャニスター３００に含まれなかった粒子を捕捉するように構成される。
【０２４１】
キャニスター３００は好ましくは、例えば、壁に沿ってキャニスター３００の取り付けを容易にする少なくとも１つの実質的に平坦な側面を設けられる。図３１Ａ〜３１Ｄに示される実施形態では、キャニスター３００は、４つの実質的に平坦な側面を有し、かつ断面が実質的に四角い。しかし、他の断面形状、例としては、限定するものではないが、三角形、半円または半卵形で置き換えられてもよい。このキャニスターの外側面はまた好ましくは、艶消し処理された仕上げを設けられ、そのため集中処置室の光から反射され得るまぶしさを最小限にする。これは、散乱としてまぶしさを防ぐだけでなく、キャニスター３００の内容物を見ることを容易にし、その結果、キャニスターが変化される前に満杯になっていないことを確実にするようにモニターされ得る。
【０２４２】
図３１Ｄは、ストラップ３１０を図示しており、これもキャニスター３００を設けられてもよい。ストラップ３１０は、キャニスター３００に装着されて、手術室で任意の固定用突起物３３０からキャニスターを吊るすために構成され（図３２を参照のこと）、それによって、所望の垂直配向に吊るしているキャニスター３００を維持し（図３２を参照のこと）、その結果出口３０８は、入口３０２よりも高く、キャニスター３００は実質的に垂直に配向される。
【０２４３】
図３３Ａ〜３３Ｂをここで振り返れば、別の取り付け機構アクチュエータ８０’が記述される。アクチュエータ８０’が示されており、これは、図２０Ａの器具１０とともに用いられる。しかし、本明細書に記載される任意の他の器具１０、１００は、この別の取り付け機構アクチュエータ８０’を用いて改変され得る。カム８６ｃを備えるロッカースイッチ８６は、回転されるとき（図３３Ｂの曲った矢印を参照のこと）レール２０２と連動して、それに対する圧縮力を加え、それによって、架台本体および器具１０、１００をレール２０２に対して固くクランプする。
【０２４４】
図３４Ａ〜図３４Ｂは、本発明の種々の実施形態によるスタビライザー器具の作用末端１４を設けられ得る別の機構を図示する。接触部材１６およびその支持体は、示されるような接触部材中に組み込まれるブロワー／噴霧器デバイス１５を提供するように構成され得、その結果、このブロワー／噴霧器デバイスのノズルまたは開口部は、接触部材１６（それらが取り付けられる）の間で、内向きに向けられ、その結果、それらは、接触部材１６の間に配置される手術上の標的にミストを差し向ける。あるいは、スタビライザー器具は、それに対して装着されるべきブロワー／噴霧器デバイス用に構成され得る。その作用末端は、それに対して装着されるべきブロワー／噴霧器デバイス用に構成され得る。
【０２４５】
さらに、またはあるいは、支持体１７は、図３４Ａにおける矢印によって示されるとおり、接触部材１６に対して旋回するように構成され得る。接触部材１６はまた、支持体部材１７とスナップフィットを形成するように構成されたそれらの遠位端でクリップ１９とともに設けられてもよく、作用末端は極めて低位の形状で維持され、ここで接触部材および支持体の両方が、実質的に同じ平面中に配列されて伸びる。
【０２４６】
図３５は、改良型であって、それによって、接触部材１６がその外側端部で厚い方の寸法からその内側端部１６’で薄い方の寸法に細くなる改良型を図示する。行われ得る他の改良型としては、限定するものではないが、第一の構成で可塑性であり、それに対する真空の適用の際に、第二の構成では剛性を生じる、アーム１２、１１２を示すかおよび／または提示するためのモニターに対して連結可能な、接触部材１６上の１つ以上のカメラの取り付けである。
【０２４７】
図３６は、別のアーム１２’を有するデバイス１０の実施形態であって、その遠位にケーブル中で張力を調節するためにユーザーが調節可能である、中間リンク４５が設けられる実施形態を図示する。従って、この機構は、依然としてリンク４５の近位のリンクを、可塑性にとどめながら、作用末端１４およびリンク４５の遠位のリンクを締め付け／ロックするために用いられ得る。この方法では、ユーザーは、記載のように、リンク４５を用いて遠位リンクを締め付けることによって、作用末端１４の最初の「ラフな」またはおおまかな位置決めを固定し得、次いで、繊細な位置決めを、リンク４５の近位のリンクを操作することにより、この位置決めに対するさらに繊細な調節を行うことによって行い得る。この位置決めに対する満足のいく繊細な調節が達成されれば、次に、このリンクの残りを、アクチュエータ５２を用いてロックダウンしてもよい。さらに別の場合、リンク４５は、その遠位でリンクを緩め／可塑性のままにさせておきながら、その近位にリンクを締め付けるように構成され得る。別の実施形態では、ケーブル４６と並ぶ第二のケーブルが設けられ、これがリンク４５を遠位に接続し、リンク４５の近位でリンクを通過し、架台本体２２につながる。なお、図３６について記載される改変型が、スタビライザー器具１０に対して示されるが、任意のまたは全てのこのような改変型がまた、ポジショナー器具１００にあてはまり得る。
【０２４８】
図３７は、別の作用機構５２、５２’、５３を有するデバイス１０のある実施形態を図示する。この実施形態では、アクチュエータ５２は、図３〜４について上記されるのと同じ方法で操作され得る。あるいは、モーター５３が設けられ、このモーターは、アクチュエータ５２’、例えば、モーター５３に対してアーム１２および架台本体２２を通じて電気的に接続されるプッシュボタンまたは他のスイッチによって作動されて、アクチュエータ５２を駆動し、ケーブル４６中の張力を増大または減少し得る。従って、アクチュエータ５２’は、例えば、ユーザーの手（単数または複数）が必要に応じて作用末端１４を位置決めするために器具１０の遠位末端部分の近傍にあるままで、このユーザーが、作用末端１４およびアーム１２を、この器具の遠位末端部分から締め付け／ロックすることを可能にする。なお、図３７に関して記載される改変型がスタビライザー器具１０に対して示されるが、アクチュエータ５２’およびモーター５３は、アクチュエータ１５２を制御するために同じ方式でポジショナー器具１００の中で同様に実現され得る。
【０２４９】
本発明は、その特定の実施形態を参照して記載してきたが、本発明の主旨および範囲から逸脱することなく、種々の変化が行われてもよく、かつ等価物が置き換えられ得ることが当業者には理解されるべきである。さらに、本発明の目的、主旨および範囲に対して、特定の状況、材料、物質組成、プロセス、工程段階（単数または複数）に適合するように、多様な修正も可能である。そのような修正はすべて、添付の請求の範囲に含まれるものとする。
【図１】
2020157042.tif 000003
【図２】
2020157042.tif 000004
【図３】
2020157042.tif 000005
【図４】
2020157042.tif 000006
【図５】
2020157042.tif 000007
【図６】
2020157042.tif 000008
【図７】
2020157042.tif 000009
【図８】
2020157042.tif 000010
【図９】
2020157042.tif 000011
【図１０】
2020157042.tif 000012
【図１１】
2020157042.tif 000013
【図１２】
2020157042.tif 000014
【図１３Ａ】
2020157042.tif 000015
【図１３Ｂ】
2020157042.tif 000016
【図１４】
2020157042.tif 000017
【図１５】
2020157042.tif 000018
【図１６Ａ】
2020157042.tif 000019
【図１６Ｂ】
2020157042.tif 000020
【図１６Ｃ】
2020157042.tif 000021
【図１７】
2020157042.tif 000022
【図１８】
2020157042.tif 000023
【図１９】
2020157042.tif 000024
【図２０Ａ】
2020157042.tif 000025
【図２０Ｂ】
2020157042.tif 000026
【図２０Ｃ】
2020157042.tif 000027
【図２１】
2020157042.tif 000028
【図２２】
2020157042.tif 000029
【図２３】
2020157042.tif 000030
【図２４】
2020157042.tif 000031
【図２５】
2020157042.tif 000032
【図２６】
2020157042.tif 000033
【図２７】
2020157042.tif 000034
【図２８Ａ】
2020157042.tif 000035
【図２８Ｂ】
2020157042.tif 000036
【図２８Ｃ】
2020157042.tif 000037
【図２８Ｄ】
2020157042.tif 000038
【図２９Ａ】
2020157042.tif 000039
【図２９Ｂ】
2020157042.tif 000040
【図２９Ｃ】
2020157042.tif 000041
【図３０Ａ】
2020157042.tif 000042
【図３０Ｂ】
2020157042.tif 000043
【図３１Ａ】
2020157042.tif 000044
【図３１Ｂ】
2020157042.tif 000045
【図３１Ｃ】
2020157042.tif 000046
【図３１Ｄ】
2020157042.tif 000047
【図３２】
2020157042.tif 000048
【図３３Ａ】
2020157042.tif 000049
【図３３Ｂ】
2020157042.tif 000050
【図３４Ａ】
2020157042.tif 000051
【図３４Ｂ】
2020157042.tif 000052
【図３５】
2020157042.tif 000053
【図３６】
2020157042.tif 000054
【図３７】
2020157042.tif 000055